(57)【要約】  物体側から像側へと順に、正パワーの第１レンズ群と、負パワーの第２レンズ群と、正パワーの第３レンズ群と、パワーを有する第４レンズ群と、第３レンズ群と第４レンズ群との間に配置した開口絞りとを備え、撮像時の広角端から望遠端へのズーミングの際に、第１レンズ群、第２レンズ群及び第３レンズ群を光軸に沿って移動させて変倍を行い、第３レンズ群が、２枚以上のレンズ素子と、１つ以上のレンズ素子間空気間隔とを有し、条件:−７．０＜ｆ１／ｆ２＜−４．０及びｆＴ／ｆＷ＞９．０（ｆ１、ｆ２：第１レンズ群、第２レンズ群の合成焦点距離、ｆＷ、ｆＴ：広角端、望遠端における全系の焦点距離）を満足するズームレンズ系、撮像装置及びカメラ。
2012101959.tif 000002
【特許請求の範囲】
【請求項１】
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）を満足することを特徴とする、ズームレンズ系：
−７．０＜ｆ１／ｆ２＜−４．０  ・・・（１）
ｆＴ／ｆＷ＞９．０  ・・・（ａ）
ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である。
【請求項２】
撮像時の広角端から望遠端へのズーミングの際に、開口絞りが、第３レンズ群と一体的に光軸に沿って移動する、請求項１に記載のズームレンズ系。
【請求項３】
以下の条件（２）を満足する、請求項１に記載のズームレンズ系：
０．５＜｜ｆ１／ｆ４｜＜４．２  ・・・（２）
ここで、
ｆ１：第１レンズ群の合成焦点距離、
ｆ４：第４レンズ群の合成焦点距離
である。
【請求項４】
以下の条件（３）を満足する、請求項１に記載のズームレンズ系：
０．８＜ＬＴ／ｆＴ＜１．４  ・・・（３）
ここで、
ＬＴ：望遠端におけるレンズ全長（第１レンズ群の最物体側面から像面までの距離）、
ｆＴ：望遠端における全系の焦点距離
である。
【請求項５】
第４レンズ群が、負のパワーを有する、請求項１に記載のズームレンズ系。
【請求項６】
第４レンズ群が、１枚のレンズ素子からなる、請求項１に記載のズームレンズ系。
【請求項７】
第４レンズ群の像側に、パワーを有する第５レンズ群を備える、請求項１に記載のズームレンズ系。
【請求項８】
第５レンズ群が、正のパワーを有する、請求項７に記載のズームレンズ系。
【請求項９】
第５レンズ群が、１枚のレンズ素子からなる、請求項７に記載のズームレンズ系。
【請求項１０】
無限遠合焦状態から近接物体合焦状態へのフォーカシングの際に、第４レンズ群又は第５レンズ群が光軸に沿って移動する、請求項７に記載のズームレンズ系。
【請求項１１】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項１２】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、解像度が高いのは勿論のこと、高いズーミング比を有しながら、ズーミングの際に収差変動が少なく高性能であり、しかも薄型なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラにおいては、高い解像度に対する要求は勿論のこと、近年は特に、薄型化や高いズーミング比と共に緒収差の補正に対する要求が高く、例えば、物体側から像側へと順に、正のパワーを有する第１レンズ群と、負のパワーを有する第２レンズ群と、正のパワー又は負のパワーを有する第３レンズ群と、後続レンズ群とが配置された、正負正又は正負負の３群以上の構成を有するズームレンズ系が種々提案されている。以下、デジタルスチルカメラやデジタルビデオカメラ等の、光電変換を行う撮像素子を持つカメラを単にデジタルカメラという。【０００３】
特開２０１０−２３７４５５号公報は、前記正負正の３群以上の構成を有し、広角端に比して望遠端で第１レンズ群と第２レンズ群との間隔が広くなるようにレンズ群を移動させてズーミングを行い、第１レンズ群は少なくとも１枚の負レンズを有し、該負レンズの材料のアッベ数及び部分分散比に関する規定がなされたズームレンズを開示している。【０００４】
特開２００９−２６５６５２号公報は、前記正負正又は正負負の３群以上の構成を有し、ズーミングに際して、各レンズ群の間隔が変化するように、すべてのレンズ群が光軸に沿った方向に移動し、フォーカシングに際して、像側から数えて２つ目のレンズ群が光軸に沿った方向に移動するズームレンズ系を開示している。【０００５】
特開２００９−１７５７３６号公報は、前記正負正又は正負負の３群以上の構成を有し、広角端から望遠端への変倍時に、第１レンズ群は像側に凸の往復軌跡を描きつつ移動し、第２レンズ群は像側へ移動し、第１レンズ群の広角端から中間焦点距離までの移動量が正であるズームレンズを開示している。【０００６】
特開２００９−００９１２１号公報は、前記正負正の３群以上の構成を有し、第３レンズ群及びその像側の後続レンズ群を併せた後群の合成屈折力が正であり、第１レンズ群の焦点距離と広角端における全系の焦点距離との比、及び後群の合成焦点距離と望遠端における全系の焦点距離との比が規定されたズームレンズ系を開示している。【０００７】
特開２００７−１０８３９８号公報は、前記正負正の３群以上の構成を有し、第３レンズ群及びその像側の後続レンズ群を併せた後群の合成屈折力が正であり、第１レンズ群と第２レンズ群との間隔及び第２レンズ群と後群との間隔を変えてズーミングを行い、第２レンズ群は３枚の負レンズ及び２枚の正レンズを有し、第２レンズ群中の最も正の屈折力が強い正レンズの材料のアッベ数及び部分分散比に関する規定がなされたズームレンズを開示している。【０００８】
特開平１０−１１１４５５号公報は、前記正負正の３群以上の構成を有し、第４レンズ群は負の屈折力を有し、第５レンズ群は正の屈折力を有し、広角端での焦点距離が画面対角長よりも短く、広角端から望遠端への変倍の際に、少なくとも第５レンズ群を物体側に移動させ、かつ各レンズ群の間隔を変化させるズームレンズを開示している。
【先行技術文献】
【特許文献】
【０００９】
【特許文献１】特開２０１０−２３７４５５号公報
【特許文献２】特開２００９−２６５６５２号公報
【特許文献３】特開２００９−１７５７３６号公報
【特許文献４】特開２００９−００９１２１号公報
【特許文献５】特開２００７−１０８３９８号公報
【特許文献６】特開平１０−１１１４５５号公報
【発明の概要】
【発明が解決しようとする課題】
【００１０】
しかしながら、前記特許文献に開示のズームレンズやズームレンズ系はいずれも、ある程度の薄型化が実現されてはいるものの、ズーミングの際に収差変動が生じ易く、高いズーミング比と充分に補正された緒収差とを兼備しておらず、近年のデジタルカメラに対する要求を満足し得るものではない。【００１１】
本発明の目的は、解像度が高いのは勿論のこと、高いズーミング比を有しながら、ズーミングの際に収差変動が少なく高性能であり、しかも薄型なズームレンズ系、該ズームレンズ系を含む撮像装置、及び該撮像装置を備えた薄型でコンパクトなカメラを提供することである。
【課題を解決するための手段】
【００１２】
上記目的の１つは、以下のズームレンズ系により達成される。すなわち本発明は、
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足することを特徴とする、ズームレンズ系
に関する。【００１３】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足する
ことを特徴とするズームレンズ系である、撮像装置
に関する。【００１４】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足する
ことを特徴とするズームレンズ系である、カメラ
に関する。
【発明の効果】
【００１５】
本発明によれば、解像度が高いのは勿論のこと、高いズーミング比を有しながら、ズーミングの際に収差変動が少なく高性能であり、しかも薄型なズームレンズ系、該ズームレンズ系を含む撮像装置、及び該撮像装置を備えた薄型でコンパクトなカメラを提供することができる。
【図面の簡単な説明】
【００１６】
【図１】図１は、実施の形態１（実施例１）に係るズームレンズ系の無限遠合焦状態を示すレンズ配置図である。
【図２】図２は、実施例１に係るズームレンズ系の無限遠合焦状態の縦収差図である。
【図３】図３は、実施例１に係るズームレンズ系の望遠端における、像ぶれ補正を行っていない基本状態及び像ぶれ補正状態での横収差図である。
【図４】図４は、実施の形態２（実施例２）に係るズームレンズ系の無限遠合焦状態を示すレンズ配置図である。
【図５】図５は、実施例２に係るズームレンズ系の無限遠合焦状態の縦収差図である。
【図６】図６は、実施例２に係るズームレンズ系の望遠端における、像ぶれ補正を行っていない基本状態及び像ぶれ補正状態での横収差図である。
【図７】図７は、実施の形態３（実施例３）に係るズームレンズ系の無限遠合焦状態を示すレンズ配置図である。
【図８】図８は、実施例３に係るズームレンズ系の無限遠合焦状態の縦収差図である。
【図９】図９は、実施例３に係るズームレンズ系の望遠端における、像ぶれ補正を行っていない基本状態及び像ぶれ補正状態での横収差図である。
【図１０】図１０は、実施の形態４（実施例４）に係るズームレンズ系の無限遠合焦状態を示すレンズ配置図である。
【図１１】図１１は、実施例４に係るズームレンズ系の無限遠合焦状態の縦収差図である。
【図１２】図１２は、実施例４に係るズームレンズ系の望遠端における、像ぶれ補正を行っていない基本状態及び像ぶれ補正状態での横収差図である。
【図１３】図１３は、実施の形態５（実施例５）に係るズームレンズ系の無限遠合焦状態を示すレンズ配置図である。
【図１４】図１４は、実施例５に係るズームレンズ系の無限遠合焦状態の縦収差図である。
【図１５】図１５は、実施例５に係るズームレンズ系の望遠端における、像ぶれ補正を行っていない基本状態及び像ぶれ補正状態での横収差図である。
【図１６】図１６は、実施の形態６に係るデジタルスチルカメラの概略構成図である。
【発明を実施するための形態】
【００１７】
（実施の形態１〜５）
図１、４、７、１０及び１３は、各々実施の形態１〜５に係るズームレンズ系のレンズ配置図である。
【００１８】
図１、４、７、１０及び１３は、いずれも無限遠合焦状態にあるズームレンズ系を表している。各図において、（ａ）図は広角端のレンズ構成、（ｂ）図は中間位置のレンズ構成、（ｃ）図は望遠端のレンズ構成をそれぞれ表している。なお、広角端とは最短焦点距離状態で、その焦点距離をｆＷで表す。中間位置とは、中間焦点距離状態で、その焦点距離をｆＭ＝√（ｆＷ＊ｆＴ）で表す。望遠端とは、最長焦点距離状態で、その焦点距離をｆＴで表す。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、図１、４、７及び１３では、後述する第４レンズ群Ｇ４が無限遠合焦状態から近接物体合焦状態へのフォーカシングの際に移動する方向を示しており、図１０では、後述する第５レンズ群Ｇ５が無限遠合焦状態から近接物体合焦状態へのフォーカシングの際に移動する方向を示している。
【００１９】
実施の形態１〜４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。実施の形態５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備える。
【００２０】
実施の形態１〜３に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、及び第４レンズ群Ｇ４と第５レンズ群Ｇ５との間隔がいずれも変化するように、第１レンズ群Ｇ１、第２レンズ群Ｇ２、第３レンズ群Ｇ３及び第４レンズ群Ｇ４が光軸に沿った方向にそれぞれ移動する。実施の形態４に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、及び第４レンズ群Ｇ４と第５レンズ群Ｇ５との間隔がいずれも変化するように、全てのレンズ群が光軸に沿った方向にそれぞれ移動する。実施の形態５に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、全てのレンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００２１】
なお図１、４、７、１０及び１３において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側、すなわち、図１、４、７及び１０では像面Ｓと第５レンズ群Ｇ５の最像側レンズ面との間、図１３では像面Ｓと第４レンズ群Ｇ４の最像側レンズ面との間には、光学的ローパスフィルタや撮像素子のフェースプレート等と等価な平行平板Ｐが設けられている。
【００２２】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２３】
実施の形態１に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面である。
【００２４】
実施の形態１に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面である。
【００２５】
実施の形態１に係るズームレンズ系において、第４レンズ群Ｇ４は、物体側に凸面を向けた負メニスカス形状の第１１レンズ素子Ｌ１１のみからなる。
【００２６】
実施の形態１に係るズームレンズ系において、第５レンズ群Ｇ５は、両凸形状の第１２レンズ素子Ｌ１２のみからなる。この第１２レンズ素子Ｌ１２は、その両面が非球面である。
【００２７】
なお、実施の形態１に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００２８】
実施の形態１に係るズームレンズ系において、像面Ｓの物体側、すなわち像面Ｓと第１２レンズ素子Ｌ１２との間には、平行平板Ｐが設けられている。
【００２９】
実施の形態１に係るズームレンズ系において、撮像時の広角端から望遠端へのズーミングの際に、第１レンズ群Ｇ１及び第４レンズ群Ｇ４は、略単調に物体側へ移動し、第２レンズ群Ｇ２は、像側に凸の軌跡を描いて像側へ移動し、第３レンズ群Ｇ３は、単調に物体側へ移動し、第５レンズ群Ｇ５は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００３０】
さらに、実施の形態１に係るズームレンズ系において、無限遠合焦状態から近接物体合焦状態へのフォーカシングの際に、第４レンズ群Ｇ４が光軸に沿って像側へ移動する。
【００３１】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３２】
実施の形態２に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面である。
【００３３】
実施の形態２に係るズームレンズ系において、第３レンズ群Ｇ３は、物体側から像側へと順に、両凸形状の第７レンズ素子Ｌ７と、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面である。
【００３４】
実施の形態２に係るズームレンズ系において、第４レンズ群Ｇ４は、物体側に凸面を向けた負メニスカス形状の第１１レンズ素子Ｌ１１のみからなる。
【００３５】
実施の形態２に係るズームレンズ系において、第５レンズ群Ｇ５は、両凸形状の第１２レンズ素子Ｌ１２のみからなる。この第１２レンズ素子Ｌ１２は、その両面が非球面である。
【００３６】
なお、実施の形態２に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００３７】
実施の形態２に係るズームレンズ系において、像面Ｓの物体側、すなわち像面Ｓと第１２レンズ素子Ｌ１２との間には、平行平板Ｐが設けられている。
【００３８】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、略単調に物体側へ移動し、第４レンズ群Ｇ４は、単調に物体側へ移動し、第５レンズ群Ｇ５は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００３９】
さらに、実施の形態２に係るズームレンズ系において、無限遠合焦状態から近接物体合焦状態へのフォーカシングの際に、第４レンズ群Ｇ４が光軸に沿って像側へ移動する。
【００４０】
図７に示すように、実施の形態３に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４１】
実施の形態３に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面である。
【００４２】
実施の形態３に係るズームレンズ系において、第３レンズ群Ｇ３は、物体側から像側へと順に、両凸形状の第７レンズ素子Ｌ７と、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面である。
【００４３】
実施の形態３に係るズームレンズ系において、第４レンズ群Ｇ４は、物体側に凸面を向けた負メニスカス形状の第１１レンズ素子Ｌ１１のみからなる。
【００４４】
実施の形態３に係るズームレンズ系において、第５レンズ群Ｇ５は、両凸形状の第１２レンズ素子Ｌ１２のみからなる。この第１２レンズ素子Ｌ１２は、その両面が非球面である。
【００４５】
なお、実施の形態３に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００４６】
実施の形態３に係るズームレンズ系において、像面Ｓの物体側、すなわち像面Ｓと第１２レンズ素子Ｌ１２との間には、平行平板Ｐが設けられている。
【００４７】
実施の形態３に係るズームレンズ系において、撮像時の広角端から望遠端へのズーミングの際に、第１レンズ群Ｇ１は、略単調に物体側へ移動し、第２レンズ群Ｇ２は、像側に凸の軌跡を描いて像側へ移動し、第３レンズ群Ｇ３は、単調に物体側へ移動し、第４レンズ群Ｇ４は、像側に凸の軌跡を描いて物体側へ移動し、第５レンズ群Ｇ５は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００４８】
さらに、実施の形態３に係るズームレンズ系において、無限遠合焦状態から近接物体合焦状態へのフォーカシングの際に、第４レンズ群Ｇ４が光軸に沿って像側へ移動する。
【００４９】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５０】
実施の形態４に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００５１】
実施の形態４に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面であり、第９レンズ素子Ｌ９は、その像側面が非球面である。
【００５２】
実施の形態４に係るズームレンズ系において、第４レンズ群Ｇ４は、物体側に凸面を向けた負メニスカス形状の第１０レンズ素子Ｌ１０のみからなる。この第１０レンズ素子Ｌ１０は、その物体側面が非球面である。
【００５３】
実施の形態４に係るズームレンズ系において、第５レンズ群Ｇ５は、両凸形状の第１１レンズ素子Ｌ１１のみからなる。この第１１レンズ素子Ｌ１１は、その両面が非球面である。
【００５４】
なお、実施の形態４に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００５５】
実施の形態４に係るズームレンズ系において、像面Ｓの物体側、すなわち像面Ｓと第１１レンズ素子Ｌ１１との間には、平行平板Ｐが設けられている。
【００５６】
実施の形態４に係るズームレンズ系において、撮像時の広角端から望遠端へのズーミングの際に、第１レンズ群Ｇ１及び第３レンズ群Ｇ３は、略単調に物体側へ移動し、第２レンズ群Ｇ２及び第５レンズ群Ｇ５は、略単調に像側へ移動し、第４レンズ群Ｇ４は、僅かに物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が変化するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００５７】
さらに、実施の形態４に係るズームレンズ系において、無限遠合焦状態から近接物体合焦状態へのフォーカシングの際に、第５レンズ群Ｇ５が光軸に沿って物体側へ移動する。
【００５８】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５９】
実施の形態５に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００６０】
実施の形態５に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第８レンズ素子Ｌ８は、その物体側面が非球面である。
【００６１】
実施の形態５に係るズームレンズ系において、第４レンズ群Ｇ４は、物体側に凸面を向けた正メニスカス形状の第１０レンズ素子Ｌ１０のみからなる。この第１０レンズ素子Ｌ１０は、その両面が非球面である。
【００６２】
なお、実施の形態５に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００６３】
実施の形態５に係るズームレンズ系において、像面Ｓの物体側、すなわち像面Ｓと第１０レンズ素子Ｌ１０との間には、平行平板Ｐが設けられている。
【００６４】
実施の形態５に係るズームレンズ系において、撮像時の広角端から望遠端へのズーミングの際に、第１レンズ群Ｇ１及び第３レンズ群Ｇ３は、略単調に物体側へ移動し、第２レンズ群Ｇ２は、略単調に像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化するように、第１レンズ群Ｇ１、第２レンズ群Ｇ２、第３レンズ群Ｇ３及び第４レンズ群Ｇ４が光軸に沿ってそれぞれ移動する。
【００６５】
さらに、実施の形態５に係るズームレンズ系において、無限遠合焦状態から近接物体合焦状態へのフォーカシングの際に、第４レンズ群Ｇ４が光軸に沿って物体側へ移動する。
【００６６】
実施の形態１〜５に係るズームレンズ系では、第３レンズ群Ｇ３と第４レンズ群Ｇ４との間に開口絞りＡが配置されており、撮像時の広角端から望遠端へのズーミングの際に、該開口絞りＡが第３レンズ群Ｇ３と一体的に光軸に沿って移動するので、高い光学性能を維持しつつ、レンズ系全体の小型化が可能である。
【００６７】
実施の形態１〜５に係るズームレンズ系では、第３レンズ群Ｇ３が２枚以上のレンズ素子と１つ以上のレンズ素子間空気間隔とを有しているので、緒収差を良好に補正することができ、高い光学性能を維持しつつ、高いズーミング比を有しながらレンズ系全体の小型化が可能である。
【００６８】
実施の形態１〜５に係るズームレンズ系では、第４レンズ群Ｇ４が１枚のレンズ素子で構成されているので、レンズ系全体の小型化を可能にしている。また実施の形態１〜３及び５に係るズームレンズ系では、無限遠合焦状態から近接物体合焦状態へのフォーカシングの際に、迅速なフォーカシングを容易にしている。
【００６９】
実施の形態１〜４に係るズームレンズ系では、第５レンズ群Ｇ５が１枚のレンズ素子で構成されているので、レンズ系全体の小型化を可能にしている。また実施の形態４に係るズームレンズ系では、無限遠合焦状態から近接物体合焦状態へのフォーカシングの際に、迅速なフォーカシングを容易にしている。
【００７０】
実施の形態１〜５に係るズームレンズ系では、無限遠合焦状態から近接物体合焦状態へのフォーカシングの際に、第４レンズ群Ｇ４又は第５レンズ群Ｇ５が光軸に沿って移動するので、近接物体合焦状態においても高い光学性能を保持することができる。
【００７１】
なお、実施の形態１〜４に係るズームレンズ系は５群構成であり、実施の形態５に係るズームレンズ系は４群構成であるが、４群以上である限りレンズ系を構成するレンズ群の数には特に限定がない。また、第４レンズ群及び該第４レンズ群よりも像側に位置するレンズ群のパワーにも特に限定がない。
【００７２】
実施の形態１〜４に係るズームレンズ系では、第１レンズ群Ｇ１乃至第５レンズ群Ｇ５のうちのいずれかのレンズ群、実施の形態５に係るズームレンズ系では、第１レンズ群Ｇ１乃至第４レンズ群Ｇ４のうちのいずれかのレンズ群を、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【００７３】
全系の振動による像点移動を補正する際に、例えば第３レンズ群Ｇ３が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００７４】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００７５】
以下、例えば実施の形態１〜５に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００７６】
例えば実施の形態１〜５に係るズームレンズ系のように、物体側から像側へと順に、正のパワーを有する第１レンズ群と、負のパワーを有する第２レンズ群と、正のパワーを有する第３レンズ群と、パワーを有する第４レンズ群と、第３レンズ群と第４レンズ群との間に配置した開口絞りとを備え、撮像時の広角端から望遠端へのズーミングの際に、第１レンズ群、第２レンズ群及び第３レンズ群を光軸に沿って移動させて変倍を行い、第３レンズ群が、２枚以上のレンズ素子と、１つ以上のレンズ素子間空気間隔とを有するズームレンズ系は、以下の条件（１）及び（ａ）を満足する。以下、このようなズームレンズ系のレンズ構成を、実施の形態の基本構成という。
−７．０＜ｆ１／ｆ２＜−４．０  ・・・（１）
ｆＴ／ｆＷ＞９．０  ・・・（ａ）
ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である。
【００７７】
前記条件（ａ）は、広角端における全系の焦点距離と望遠端における全系の焦点距離との比を規定するための条件である。基本構成を有するズームレンズ系は、該条件（ａ）を満足しているので、高いズーミング比を有し、高倍率を確保することができる。
【００７８】
前記条件（１）は、第１レンズ群の焦点距離と第２レンズ群の焦点距離との比を規定するための条件である。条件（１）の下限を下回ると、第２レンズ群の焦点距離が小さくなり過ぎ、変倍時の収差変動が大きくなって緒収差の補正が困難になる。また、第１レンズ群の焦点距離が大きくなり過ぎ、高倍率を確保するために必要な第１レンズ群の移動量が大きくなり過ぎて、コンパクトなレンズ鏡筒や撮像装置、カメラを提供することが困難となる。条件（１）の上限を上回ると、第１レンズ群の焦点距離が小さくなり過ぎ、変倍時の収差変動が大きくなって緒収差の補正が困難になるとともに、第１レンズ群の径も大きくなることから、コンパクトなレンズ鏡筒や撮像装置、カメラを提供することが困難となる。また、第１レンズ群の傾きに対する誤差感度も高くなり過ぎ、光学系の組み立てが困難になる場合がある。
【００７９】
なお、前記条件（１）は、以下の条件（ａ）’において満足することが好ましい。
ｆＴ／ｆＷ＞１３．０  ・・・（ａ）’
【００８０】
例えば実施の形態１〜５に係るズームレンズ系のように、基本構成を有するズームレンズ系は、以下の条件（２）を満足することが好ましい。
０．５＜｜ｆ１／ｆ４｜＜４．２  ・・・（２）
ここで、
ｆ１：第１レンズ群の合成焦点距離、
ｆ４：第４レンズ群の合成焦点距離
である。
【００８１】
前記条件（２）は、第１レンズ群の焦点距離と第４レンズ群の焦点距離との比を規定するための条件である。条件（２）の下限を下回ると、第４レンズ群の焦点距離が大きくなり過ぎ、第４レンズ群の移動量が大きくなり過ぎて、コンパクトなレンズ鏡筒や撮像装置、カメラを提供することが困難となる。また、第１レンズ群の焦点距離が小さくなり過ぎ、変倍時の収差変動が大きくなって緒収差の補正が困難になるとともに、第１レンズ群の径も大きくなることから、コンパクトなレンズ鏡筒や撮像装置、カメラを提供することが困難となる。また、第１レンズ群の傾きに対する誤差感度も高くなり過ぎ、光学系の組み立てが困難になる場合がある。条件（２）の上限を上回ると、第１レンズ群の焦点距離が大きくなり過ぎ、高倍率を確保するために必要な第１レンズ群の移動量が大きくなり過ぎ、コンパクトなレンズ鏡筒や撮像装置、カメラを提供することが困難となる。
【００８２】
なお、さらに以下の条件（２）’及び（２）’’の少なくとも１つを満足することにより、前記効果をさらに奏功させることができる。
１．５＜｜ｆ１／ｆ４｜  ・・・（２）’
｜ｆ１／ｆ４｜＜３．０  ・・・（２）’’
【００８３】
また、前記条件（２）、（２）’及び（２）’’は、前記条件（ａ）’において満足することが好ましい。
【００８４】
例えば実施の形態１〜５に係るズームレンズ系のように、基本構成を有するズームレンズ系は、以下の条件（３）を満足することが好ましい。
０．８＜ＬＴ／ｆＴ＜１．４  ・・・（３）
ここで、
ＬＴ：望遠端におけるレンズ全長（第１レンズ群の最物体側面から像面までの距離）、
ｆＴ：望遠端における全系の焦点距離
である。
【００８５】
前記条件（３）は、望遠端におけるレンズ全長と望遠端における全系の焦点距離との比を規定するための条件である。条件（３）の下限を下回ると、望遠端におけるレンズ全長が短くなり過ぎ、各レンズ群の焦点距離が小さくなり過ぎて、変倍時の収差変動が大きくなって緒収差の補正が困難になる。条件（３）の上限を上回ると、望遠端におけるレンズ全長が短くなり過ぎ、コンパクトなレンズ鏡筒や撮像装置、カメラを提供することが困難となる。
【００８６】
なお、さらに以下の条件（３）’及び（３）’’の少なくとも１つを満足することにより、前記効果をさらに奏功させることができる。
０．９＜ＬＴ／ｆＴ  ・・・（３）’
ＬＴ／ｆＴ＜１．２  ・・・（３）’’
【００８７】
また、前記条件（３）、（３）’及び（３）’’は、前記条件（ａ）’において満足することが好ましい。
【００８８】
実施の形態１〜５に係るズームレンズ系を構成している各レンズ群は、入射光線を屈折により偏向させる屈折型レンズ素子、すなわち、異なる屈折率を有する媒質同士の界面で偏向が行われるタイプのレンズ素子のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００８９】
さらに各実施の形態では、像面Ｓの物体側、すなわち、実施の形態１〜４では像面Ｓと第５レンズ群Ｇ５の最像側レンズ面との間、実施の形態５では像面Ｓと第４レンズ群Ｇ４の最像側レンズ面との間には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００９０】
（実施の形態６）
図１６は、実施の形態６に係るデジタルスチルカメラの概略構成図である。図１６において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１６において、ズームレンズ系１は、第１レンズ群Ｇ１と、第２レンズ群Ｇ２と、第３レンズ群Ｇ３と、開口絞りＡと、第４レンズ群Ｇ４と、第５レンズ群Ｇ５とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００９１】
鏡筒は、主鏡筒５と、移動鏡筒６と、円筒カム７とで構成されている。円筒カム７を回転させると、第１レンズ群Ｇ１、第２レンズ群Ｇ２、第３レンズ群Ｇ３と開口絞りＡ、第４レンズ群Ｇ４及び第５レンズ群Ｇ５が撮像素子２を基準にした所定の位置に移動し、広角端から望遠端までのズーミングを行うことができる。第４レンズ群Ｇ４はフォーカス調整用モータにより光軸方向に移動可能である。
【００９２】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１６に示したデジタルスチルカメラには、実施の形態１に係るズームレンズ系の替わりに実施の形態２〜５に係るズームレンズ系のいずれかを用いてもよい。また、図１６に示したデジタルスチルカメラの光学系は、動画像を対象とするデジタルビデオカメラに用いることもできる。この場合、静止画像だけでなく、解像度の高い動画像を撮影することができる。
【００９３】
なお、本実施の形態６に係るデジタルスチルカメラでは、ズームレンズ系１として実施の形態１〜５に係るズームレンズ系を示したが、これらのズームレンズ系は、全てのズーミング域を使用する必要はない。すなわち、所望のズーミング域に応じて、光学性能が確保されている範囲を切り出し、実施の形態１〜５で説明したズームレンズ系よりも低倍率のズームレンズ系として使用してもよい。
【００９４】
さらに、実施の形態６では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態６において、第２レンズ群Ｇ２全体、第３レンズ群Ｇ３全体、第２レンズ群Ｇ２あるいは第３レンズ群Ｇ３の一部等のズームレンズ系を構成している一部のレンズ群を、沈胴時に光軸上から退避させる、いわゆるスライディング鏡筒にズームレンズ系を適用してもよい。
【００９５】
また、以上説明した実施の形態１〜５に係るズームレンズ系と、ＣＣＤやＣＭＯＳ等の撮像素子とから構成される撮像装置を、スマートフォン等の携帯情報端末、Ｐｅｒｓｏｎａｌ  Ｄｉｇｉｔａｌ  Ａｓｓｉｓｔａｎｃｅ、監視システムにおける監視カメラ、Ｗｅｂカメラ、車載カメラ等に適用することもできる。
【００９６】
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2012101959.tif 000003
ここで、κは円錐定数、Ａ４、Ａ６、Ａ８、Ａ１０、Ａ１２及びＡ１４は、それぞれ４次、６次、８次、１０次、１２次及び１４次の非球面係数である。
【００９７】
図２、５、８、１１及び１４は、各々数値実施例１〜５に係るズームレンズ系の縦収差図である。
【００９８】
各縦収差図において、（ａ）図は広角端、（ｂ）図は中間位置、（ｃ）図は望遠端における各収差を表す。各縦収差図は、左側から順に、球面収差、非点収差、歪曲収差を示す。なお各図中において、球面収差はＳＡ（ｍｍ）、非点収差はＡＳＴ（ｍｍ）、歪曲収差はＤＩＳ（％）で表す。球面収差図において、縦軸はＦナンバーを表し、実線は波長５８７．５６ｎｍのｄ線、短破線は波長４８６．１３ｎｍのＦ線、長破線は波長６５６．２８ｎｍのＣ線の特性である。非点収差図において、縦軸は像高を表し、実線はサジタル平面、破線はメリディオナル平面の特性である。歪曲収差図において、縦軸は像高を表す。なお各図中において、ＦナンバーはＦ、像高はＨ、サジタル平面はｓ、メリディオナル平面はｍで表す。
【００９９】
また図３、６、９、１２及び１５は、各々数値実施例１〜５に係るズームレンズ系の望遠端における横収差図である。
【０１００】
各横収差図において、上段３つの収差図は、望遠端における像ぶれ補正を行っていない基本状態、下段３つの収差図は、第３レンズ群Ｇ３全体を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線、短破線はＦ線、長破線はＣ線の特性である。なお各横収差図において、メリディオナル平面を、第１レンズ群Ｇ１の光軸と第３レンズ群Ｇ３の光軸とを含む平面としている。
【０１０１】
なお、各数値実施例のズームレンズ系について、望遠端における、像ぶれ補正状態での第３レンズ群Ｇ３の光軸と垂直な方向への移動量は、以下に示すとおりである。
数値実施例１  ０．０９４ｍｍ
数値実施例２  ０．０８２ｍｍ
数値実施例３  ０．１０５ｍｍ
数値実施例４  ０．１２５ｍｍ
数値実施例５  ０．１９７ｍｍ
【０１０２】
撮影距離が∞で望遠端において、ズームレンズ系が０．３°だけ傾いた場合の像偏心量は、第３レンズ群Ｇ３全体が光軸と垂直な方向に上記の各値だけ平行移動するときの像偏心量に等しい。
【０１０３】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１０４】
（数値実施例１）
数値実施例１のズームレンズ系は、図１に示した実施の形態１に対応する。数値実施例１のズームレンズ系の面データを表１に、非球面データを表２に、各種データを表３に示す。
【０１０５】
表  １（面データ）
面番号         r           d           nd         vd                
物面             ∞                                               
1         39.12230     0.75000     1.84666    23.8               
2         24.34130     0.01000     1.56732    42.8               
3         24.34130     2.57250     1.49700    81.6               
4        669.01800     0.15000                                   
5         24.12950     1.79680     1.72916    54.7               
6         79.16250        可変                                   
7*        40.41520     0.50000     1.87702    37.0               
8*         4.92640     3.70580                                   
9         -8.33810     0.30000     1.72916    54.7               
10        -88.01810     0.22870                                   
11         27.63010     1.21460     1.94595    18.0               
12        -34.07630        可変                                   
13*         5.61650     2.15450     1.58332    59.1               
14*       -22.78570     0.50340                                   
15          8.07340     1.26250     1.49700    81.6               
16       -490.35460     0.01000     1.56732    42.8               
17       -490.35460     0.30000     1.90366    31.3               
18          4.81270     0.35810                                   
19         12.15960     1.20290     1.52996    55.8               
20        -11.64830     0.40000                                   
21(絞り)           ∞        可変                                   
22         30.16120     0.50000     1.88300    40.8               
23          8.20900        可変                                   
24*         9.68560     2.23030     1.52996    55.8               
25*       -93.78700     2.36430                                   
26               ∞     0.78000     1.51680    64.2               
27               ∞        (BF)                                       
像面             ∞                                               
【０１０６】
表  ２（非球面データ）
第7面
K= 0.00000E+00, A4=-5.63481E-04, A6= 3.11555E-05, A8=-8.17750E-07 
A10= 8.06105E-09, A12= 0.00000E+00 
第8面
K= 0.00000E+00, A4=-8.76674E-04, A6=-1.12420E-05, A8= 2.70324E-06 
A10=-1.33807E-07, A12= 0.00000E+00 
第13面
K= 0.00000E+00, A4=-7.29201E-04, A6=-1.17969E-05, A8=-6.10823E-06 
A10= 6.74583E-07, A12=-4.48240E-08 
第14面
K= 0.00000E+00, A4= 8.59168E-05, A6=-2.47587E-05, A8=-1.87567E-06 
A10= 1.46231E-07, A12=-2.05601E-08 
第24面
K= 0.00000E+00, A4=-6.47588E-04, A6= 8.67198E-05, A8=-5.62682E-06 
A10= 1.93110E-07, A12=-4.72323E-09 
第25面
K= 0.00000E+00, A4=-7.33472E-04, A6= 3.89493E-05, A8=-1.04425E-06 
A10=-4.32516E-08, A12= 0.00000E+00
【０１０７】
表  ３（各種データ）
ズーム比    14.71263
広角      中間      望遠
焦点距離       4.4482   17.0693   65.4446
Ｆナンバー     3.44055   4.49104   6.16167
画角        45.0718   12.6331    3.4043
像高         3.7000    3.9000    3.9000
レンズ全長     46.3632   51.3938   62.4654
ＢＦ        0.48241   0.50874   0.45483
d6           0.3000   10.7372   21.3604 
d12         16.7953    5.1183    0.3000 
d21          3.4276    9.1186   10.4391 
d23          2.0635    2.6166    6.6167 
入射瞳位置     11.0268   35.9621  125.0203
射出瞳位置    -11.4186  -20.0329  -54.5925
前側主点位置   13.8124   38.8475  112.6593
後側主点位置   41.9150   34.3246   -2.9791
単レンズデータ
レンズ     始面     焦点距離
1         1      -77.9069
2         3       50.7587
3         5       46.9551
4         7       -6.4393
5         9      -12.6519
6        11       16.2860
7        13        7.9466
8        15       15.9947
9        17       -5.2725
10        19       11.4258
11        22      -12.9111
12        24       16.6900
ズームレンズ群データ
群   始面    焦点距離  レンズ構成長    前側主点位置  後側主点位置
1      1    36.28987     5.27930         1.15149       3.09442
2      7    -5.85194     5.94910         0.35671       1.13559
3     13     9.23453     6.19140        -0.30820       1.47404
4     22   -12.91111     0.50000         0.36877       0.60037
5     24    16.68996     5.37460         0.13748       1.16482
ズームレンズ群倍率
群   始面    広角       中間       望遠
1      1    0.00000    0.00000    0.00000
2      7   -0.21205   -0.34104   -0.89535
3     13   -0.48200   -1.12114   -1.38610
4     22    1.66825    1.71504    2.01678
5     24    0.71886    0.71728    0.72051
【０１０８】
（数値実施例２）
数値実施例２のズームレンズ系は、図４に示した実施の形態２に対応する。数値実施例２のズームレンズ系の面データを表４に、非球面データを表５に、各種データを表６に示す。
【０１０９】
表  ４（面データ）
面番号         r           d           nd         vd                
物面             ∞                                               
1         31.08320     0.75000     1.84666    23.8               
2         20.54660     0.01000     1.56732    42.8               
3         20.54660     2.64550     1.49700    81.6               
4        152.85880     0.15000                                   
5         24.63830     1.66280     1.72916    54.7               
6        107.30480        可変                                   
7*        49.15490     0.50000     1.87702    37.0               
8*         5.54240     3.71900                                   
9        -10.64890     0.30000     1.72916    54.7               
10        112.56090     0.22460                                   
11         20.71430     1.29040     1.94595    18.0               
12        -81.81860        可変                                   
13*         5.43680     1.87130     1.58332    59.1               
14*       -22.36220     0.40260                                   
15          6.57880     1.45360     1.49700    81.6               
16         46.91020     0.01000     1.56732    42.8               
17         46.91020     0.30000     1.90366    31.3               
18          4.17360     0.30410                                   
19          7.92300     1.07350     1.52996    55.8               
20        -15.71980     0.40000                                   
21(絞り)           ∞        可変                                   
22         19.40140     0.50000     1.88300    40.8               
23          5.56050        可変                                   
24*         9.90500     2.27410     1.52996    55.8               
25*       -84.49410     2.25770                                   
26               ∞     0.78000     1.51680    64.2               
27               ∞        (BF)                                       
像面             ∞                                               
【０１１０】
表  ５（非球面データ）
第7面
K= 0.00000E+00, A4=-6.82260E-04, A6= 3.42662E-05, A8=-7.06863E-07 
A10= 5.24073E-09, A12= 0.00000E+00 
第8面
K= 0.00000E+00, A4=-8.55257E-04, A6=-2.08462E-06, A8= 2.57595E-06 
A10=-7.86710E-08, A12= 0.00000E+00 
第13面
K= 0.00000E+00, A4=-7.38915E-04, A6= 6.12372E-06, A8=-7.45037E-06 
A10= 7.92758E-07, A12=-5.22500E-08 
第14面
K= 0.00000E+00, A4= 1.71678E-04, A6= 7.80329E-06, A8=-4.99088E-06 
A10= 3.22395E-07, A12=-2.42946E-08 
第24面
K= 0.00000E+00, A4=-4.14254E-04, A6= 1.04417E-04, A8=-5.96937E-06 
A10= 1.47200E-07, A12=-3.27839E-09 
第25面
K= 0.00000E+00, A4=-8.50740E-04, A6= 9.56957E-05, A8=-5.15879E-06 
A10= 3.50417E-08, A12= 0.00000E+00
【０１１１】
表  ６（各種データ）
ズーム比    11.03063
広角      中間      望遠
焦点距離       4.4498   14.8500   49.0837
Ｆナンバー     3.44101   4.73422   6.16062
画角        42.8989   14.5685    4.5571
像高         3.5000    3.9000    3.9000
レンズ全長     47.2343   46.2180   52.9687
ＢＦ        0.48722   0.48685   0.45643
d6           0.3000    8.1432   17.4571 
d12         19.1524    6.1570    0.3000 
d21          1.6677    4.6342    6.6017 
d23          2.7478    3.9176    5.2743 
入射瞳位置     12.0384   30.0889   89.9355
射出瞳位置    -10.1822  -16.6238  -24.5944
前側主点位置   14.6324   32.0509   42.8463
後側主点位置   42.7846   31.3680    3.8850
単レンズデータ
レンズ     始面     焦点距離
1         1      -74.0055
2         3       47.4464
3         5       43.4920
4         7       -7.1611
5         9      -13.3284
6        11       17.5816
7        13        7.6883
8        15       15.2143
9        17       -5.0866
10        19       10.0990
11        22       -8.9793
12        24       16.8698
ズームレンズ群データ
群   始面    焦点距離  レンズ構成長    前側主点位置  後側主点位置
1      1    33.79578     5.21830         1.12238       3.01496
2      7    -6.26139     6.03400         0.48676       1.44491
3     13     8.11525     5.81510        -0.43186       1.41460
4     22    -8.97929     0.50000         0.37862       0.60851
5     24    16.86977     5.31180         0.15727       1.19825
ズームレンズ群倍率
群   始面    広角       中間       望遠
1      1    0.00000    0.00000    0.00000
2      7   -0.25511   -0.37491   -0.84760
3     13   -0.35202   -0.75087   -1.02588
4     22    2.01596    2.14616    2.29086
5     24    0.72728    0.72730    0.72910
【０１１２】
（数値実施例３）
数値実施例３のズームレンズ系は、図７に示した実施の形態３に対応する。数値実施例３のズームレンズ系の面データを表７に、非球面データを表８に、各種データを表９に示す。
【０１１３】
表  ７（面データ）
面番号         r           d           nd         vd                
物面             ∞                                               
1         57.54400     0.75000     1.84666    23.8               
2         32.90100     0.01000     1.56732    42.8               
3         32.90100     2.61090     1.49700    81.6               
4       -118.20340     0.15000                                   
5         24.21850     1.52590     1.72916    54.7               
6         50.97680        可変                                   
7*        29.35900     0.50000     1.87702    37.0               
8*         5.29960     4.05300                                   
9         -7.89080     0.30000     1.72916    54.7               
10        -60.13670     0.23680                                   
11         41.52720     1.27550     1.94595    18.0               
12        -26.55800        可変                                   
13*         6.06960     2.37110     1.58332    59.1               
14*       -23.88150     0.31890                                   
15          7.14320     1.38840     1.49700    81.6               
16        109.61190     0.01000     1.56732    42.8               
17        109.61190     0.30000     1.90366    31.3               
18          4.95430     0.45800                                   
19         23.14400     1.09800     1.52996    55.8               
20        -12.30130     0.40000                                   
21(絞り)           ∞        可変                                   
22         30.20470     0.50000     1.88300    40.8               
23         10.26950        可変                                   
24*        10.66430     2.04270     1.52996    55.8               
25*       -98.22820     2.84340                                   
26               ∞     0.78000     1.51680    64.2               
27               ∞        (BF)                                       
像面             ∞                                               
【０１１４】
表  ８（非球面データ）
第7面
K= 0.00000E+00, A4=-7.15790E-04, A6= 3.34579E-05, A8=-6.64896E-07 
A10= 4.88846E-09, A12= 0.00000E+00 
第8面
K= 0.00000E+00, A4=-9.90606E-04, A6=-3.67284E-06, A8= 1.95498E-06 
A10=-6.58573E-08, A12= 0.00000E+00 
第13面
K= 0.00000E+00, A4=-6.16082E-04, A6=-3.68104E-07, A8=-5.75983E-06 
A10= 5.43157E-07, A12=-2.72234E-08 
第14面
K= 0.00000E+00, A4= 1.78340E-05, A6=-3.72044E-06, A8=-4.60879E-06 
A10= 4.06332E-07, A12=-2.11784E-08 
第24面
K= 0.00000E+00, A4=-1.08567E-03, A6= 1.14745E-04, A8=-6.05001E-06 
A10= 1.55891E-07, A12=-2.89195E-09 
第25面
K= 0.00000E+00, A4=-1.36541E-03, A6= 1.09701E-04, A8=-4.19438E-06 
A10= 2.41875E-08, A12= 0.00000E+00
【０１１５】
表  ９（各種データ）
ズーム比    16.47230
広角      中間      望遠
焦点距離       4.4501   18.0934   73.3027
Ｆナンバー     3.44164   4.20219   6.16157
画角        41.5033   11.9452    3.0330
像高         3.4000    3.9000    3.9000
レンズ全長     49.0167   55.3864   70.1058
ＢＦ        0.49135   0.52241   0.45938
d6           0.3000   12.2557   24.4860 
d12         18.5099    5.2649    0.3000 
d21          3.6190   11.3314   12.4827 
d23          2.1738    2.0894    8.4551 
入射瞳位置     11.3371   38.4866  134.4812
射出瞳位置    -12.3397  -22.9441 -128.8978
前側主点位置   14.2438   42.6294  166.2455
後側主点位置   44.5666   37.2930   -3.1969
単レンズデータ
レンズ     始面     焦点距離
1         1      -92.0253
2         3       52.0843
3         5       61.7901
4         7       -7.4461
5         9      -12.4864
6        11       17.2815
7        13        8.5459
8        15       15.3058
9        17       -5.7498
10        19       15.3205
11        22      -17.8312
12        24       18.2708
ズームレンズ群データ
群   始面    焦点距離  レンズ構成長    前側主点位置  後側主点位置
1      1    41.06452     5.04680         1.21748       3.07560
2      7    -6.41603     6.36530         0.48274       1.30249
3     13    10.09615     6.34440        -0.66695       1.36063
4     22   -17.83121     0.50000         0.40711       0.63842
5     24    18.27085     5.66610         0.13161       1.09620
ズームレンズ群倍率
群   始面    広角       中間       望遠
1      1    0.00000    0.00000    0.00000
2      7   -0.20116   -0.32179   -0.83233
3     13   -0.49210   -1.25492   -1.58845
4     22    1.51412    1.51273    1.86297
5     24    0.72299    0.72129    0.72474
【０１１６】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１１７】
表  １０（面データ）
面番号         r           d           nd         vd                
物面             ∞                                               
1         34.34930     0.65000     1.84666    23.8               
2         21.47750     0.01000     1.56732    42.8               
3         21.47750     2.03800     1.49700    81.6               
4        147.07180     0.15000                                   
5         26.49040     1.61860     1.77250    49.6               
6        130.70190        可変                                   
7*        57.01000     0.30000     1.84973    40.6               
8*         5.45040     3.07830                                   
9*       -17.37380     0.40000     1.77200    50.0               
10         41.76440     0.15010                                   
11         15.48890     1.19800     1.94595    18.0               
12       -395.30340        可変                                   
13*         5.07260     1.87320     1.51776    69.9               
14*       -14.52160     0.29090                                   
15          7.30900     1.14640     1.69680    55.5               
16        -66.82490     0.01000     1.56732    42.8               
17        -66.82490     0.30000     1.68400    31.3               
18*         3.87590     0.50000                                   
19(絞り)           ∞        可変                                   
20*        12.63810     0.50000     1.68400    31.3               
21          8.93930        可変                                   
22*        26.96660     1.68640     1.58332    59.1               
23*       -17.12980        可変                                   
24               ∞     0.78000     1.51680    64.2               
25               ∞        (BF)                                       
像面             ∞                                               
【０１１８】
表  １１（非球面データ）
第7面
K= 0.00000E+00, A4=-8.94401E-04, A6= 6.21567E-05, A8=-1.98151E-06 
A10= 2.99161E-08, A12=-1.77821E-10, A14= 0.00000E+00 
第8面
K= 0.00000E+00, A4=-1.06030E-03, A6= 2.36965E-05, A8= 1.64213E-06 
A10=-5.56501E-08, A12=-1.14121E-09, A14= 0.00000E+00 
第9面
K= 0.00000E+00, A4= 5.29698E-05, A6=-3.68820E-06, A8= 3.32156E-07 
A10=-6.16745E-09, A12= 0.00000E+00, A14= 0.00000E+00 
第13面
K= 0.00000E+00, A4=-7.42045E-04, A6=-9.81495E-06, A8=-1.14627E-05 
A10= 2.41648E-06, A12=-2.74102E-07, A14= 1.22994E-08 
第14面
K= 0.00000E+00, A4= 6.07823E-04, A6=-6.47865E-05, A8= 4.56339E-06 
A10=-2.28093E-07, A12=-1.28148E-08, A14= 3.13084E-09 
第18面
K= 0.00000E+00, A4= 1.90160E-04, A6= 8.06372E-05, A8= 5.02360E-06 
A10=-1.29991E-06, A12= 0.00000E+00, A14= 0.00000E+00 
第20面
K= 0.00000E+00, A4=-3.85673E-04, A6= 1.93928E-05, A8=-8.23950E-07 
A10= 4.98393E-09, A12= 0.00000E+00, A14= 0.00000E+00 
第22面
K= 0.00000E+00, A4= 1.33733E-03, A6=-8.40850E-05, A8= 5.21020E-06 
A10=-1.89946E-07, A12= 2.92945E-09, A14= 0.00000E+00 
第23面
K= 0.00000E+00, A4= 1.25012E-03, A6=-9.34022E-05, A8= 5.55813E-06 
A10=-2.00544E-07, A12= 3.06426E-09, A14= 0.00000E+00
【０１１９】
表  １２（各種データ）
ズーム比     9.39473
広角      中間      望遠
焦点距離       4.6466   14.2428   43.6536
Ｆナンバー     3.08881   4.92645   5.98483
画角        41.5422   15.0391    5.0055
像高         3.6000    3.9000    3.9000
レンズ全長     42.4542   46.6111   55.6771
ＢＦ        0.77933   0.75151   0.73920
d6           0.3000    7.6536   17.9500 
d12         16.4289    6.0700    0.9031 
d19          1.0129    6.9323   10.8336 
d21          2.4853    3.9951    5.9037 
d23          4.7679    4.5287    2.6676 
入射瞳位置     11.0513   25.3144   75.1476
射出瞳位置    -11.4768  -31.6472  -99.8114
前側主点位置   13.9362   33.2959   99.8492
後側主点位置   37.8076   32.3683   12.0235
単レンズデータ
レンズ     始面     焦点距離
1         1      -69.2986
2         3       50.3333
3         5       42.7195
4         7       -7.1113
5         9      -15.8467
6        11       15.7790
7        13        7.5057
8        15        9.5156
9        17       -5.3467
10        20      -47.2491
11        22       18.2151
ズームレンズ群データ
群   始面    焦点距離  レンズ構成長    前側主点位置  後側主点位置
1      1    35.53500     4.46660         0.95744       2.62125
2      7    -7.38792     5.12640        -0.01273       0.71601
3     13    10.21334     4.12050        -2.05831       0.06771
4     20   -47.24910     0.50000         1.07343       1.25927
5     22    18.21508     1.68640         0.66066       1.26673
ズームレンズ群倍率
群   始面    広角       中間       望遠
1      1    0.00000    0.00000    0.00000
2      7   -0.28399   -0.39590   -0.88325
3     13   -0.56572   -1.19853   -1.46846
4     20    1.26345    1.28209    1.24347
5     22    0.64419    0.65885    0.76170
【０１２０】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１２１】
表  １３（面データ）
面番号         r           d           nd         vd                
物面             ∞                                               
1         47.82760     0.75000     1.84666    23.8               
2         28.21300     0.01000     1.56732    42.8               
3         28.21300     3.27700     1.49700    81.6               
4      -1107.87480     0.15000                                   
5         25.29660     2.38300     1.72916    54.7               
6         77.85170        可変                                   
7         64.54210     0.30000     1.88300    40.8               
8          5.72810     2.90780                                   
9        -28.89180     0.30000     1.78590    43.9               
10         16.49550     0.41550                                   
11         11.41710     1.41500     1.94595    18.0               
12         54.34020        可変                                   
13          6.03730     3.32960     1.49700    81.6               
14        -48.63350     0.93260                                   
15*        12.17690     3.24180     1.80470    41.0               
16        -40.55760     0.01000     1.56732    42.8               
17        -40.55760     0.40000     1.84666    23.8               
18          7.33790     0.30000                                   
19(絞り)           ∞        可変                                   
20*        10.70960     1.79450     1.52500    70.3               
21*       682.87650        可変                                   
22               ∞     0.78000     1.51680    64.2               
23               ∞        (BF)                                       
像面             ∞                                               
【０１２２】
表  １４（非球面データ）
第15面
K= 0.00000E+00, A4=-7.18404E-04, A6=-2.38605E-05, A8=-8.22730E-07 
A10= 0.00000E+00 
第20面
K= 0.00000E+00, A4=-1.44429E-04, A6= 3.93254E-06, A8= 3.07661E-07 
A10=-1.38658E-08 
第21面
K= 0.00000E+00, A4=-1.01717E-04, A6= 2.13630E-06, A8= 4.46802E-07 
A10=-1.80129E-08
【０１２３】
表  １５（各種データ）
ズーム比    13.97837
広角      中間      望遠
焦点距離       4.6500   17.4002   64.9995
Ｆナンバー     3.58003   5.47052   6.27507
画角        40.7265   12.6564    3.3680
像高         3.5000    3.9020    3.9020
レンズ全長     51.3024   58.0531   68.9684
ＢＦ        0.90480   0.89076   0.84139
d6           0.3050   13.1596   25.0706 
d12         19.0154    5.8493    1.3032 
d19          5.3359    5.8777   14.8307 
d21          3.0445    9.5789    4.2257 
入射瞳位置     12.8525   47.1928  195.5208
射出瞳位置    -11.9076  -19.4587  -57.9755
前側主点位置   15.8148   49.7147  188.6883
後側主点位置   46.6524   40.6529    3.9688
単レンズデータ
レンズ     始面     焦点距離
1         1      -82.7025
2         3       55.4103
3         5       50.4274
4         7       -7.1360
5         9      -13.3223
6        11       15.0389
7        13       11.0291
8        15       11.9660
9        17       -7.3110
10        20       20.7050
ズームレンズ群データ
群   始面    焦点距離  レンズ構成長    前側主点位置  後側主点位置
1      1    39.45012     6.57000         1.49757       3.93043
2      7    -6.77455     5.33830         0.19148       1.10718
3     13    11.56553     8.21400        -3.65554       1.57167
4     20    20.70503     1.79450        -0.01873       0.60013
ズームレンズ群倍率
群   始面    広角       中間       望遠
1      1    0.00000    0.00000    0.00000
2      7   -0.22934   -0.40603   -1.41907
3     13   -0.70721   -2.63780   -1.72585
4     20    0.72674    0.41182    0.67275
【０１２４】
以下の表１６に、各数値実施例のズームレンズ系における各条件の対応値を示す。
【０１２５】
表  １６（条件の対応値）
【表１】
2012101959.tif 000004
【産業上の利用可能性】
【０１２６】
本発明に係るズームレンズ系は、デジタルカメラ、スマートフォン等の携帯情報端末、Ｐｅｒｓｏｎａｌ  Ｄｉｇｉｔａｌ  Ａｓｓｉｓｔａｎｃｅ、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１２７】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
2012101959.tif 000005
【図２】
2012101959.tif 000006
【図３】
2012101959.tif 000007
【図４】
2012101959.tif 000008
【図５】
2012101959.tif 000009
【図６】
2012101959.tif 000010
【図７】
2012101959.tif 000011
【図８】
2012101959.tif 000012
【図９】
2012101959.tif 000013
【図１０】
2012101959.tif 000014
【図１１】
2012101959.tif 000015
【図１２】
2012101959.tif 000016
【図１３】
2012101959.tif 000017
【図１４】
2012101959.tif 000018
【図１５】
2012101959.tif 000019
【図１６】
2012101959.tif 000020
【手続補正書】
【提出日】平成24年8月30日(2012.8.30)
【手続補正１】
【補正対象書類名】明細書
【補正対象項目名】全文
【補正方法】変更
【補正の内容】
【発明の詳細な説明】
【技術分野】
【０００１】
本発明は、ズームレンズ系、撮像装置及びカメラに関する。特に本発明は、解像度が高いのは勿論のこと、高いズーミング比を有しながら、ズーミングの際に収差変動が少なく高性能であり、しかも薄型なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラにおいては、高い解像度に対する要求は勿論のこと、近年は特に、薄型化や高いズーミング比と共に緒収差の補正に対する要求が高く、例えば、物体側から像側へと順に、正のパワーを有する第１レンズ群と、負のパワーを有する第２レンズ群と、正のパワー又は負のパワーを有する第３レンズ群と、後続レンズ群とが配置された、正負正又は正負負の３群以上の構成を有するズームレンズ系が種々提案されている。以下、デジタルスチルカメラやデジタルビデオカメラ等の、光電変換を行う撮像素子を持つカメラを単にデジタルカメラという。
【０００３】
特開２０１０−２３７４５５号公報は、前記正負正の３群以上の構成を有し、広角端に比して望遠端で第１レンズ群と第２レンズ群との間隔が広くなるようにレンズ群を移動させてズーミングを行い、第１レンズ群は少なくとも１枚の負レンズを有し、該負レンズの材料のアッベ数及び部分分散比に関する規定がなされたズームレンズを開示している。
【０００４】
特開２００９−２６５６５２号公報は、前記正負正又は正負負の３群以上の構成を有し、ズーミングに際して、各レンズ群の間隔が変化するように、すべてのレンズ群が光軸に沿った方向に移動し、フォーカシングに際して、像側から数えて２つ目のレンズ群が光軸に沿った方向に移動するズームレンズ系を開示している。
【０００５】
特開２００９−１７５７３６号公報は、前記正負正又は正負負の３群以上の構成を有し、広角端から望遠端への変倍時に、第１レンズ群は像側に凸の往復軌跡を描きつつ移動し、第２レンズ群は像側へ移動し、第１レンズ群の広角端から中間焦点距離までの移動量が正であるズームレンズを開示している。
【０００６】
特開２００９−００９１２１号公報は、前記正負正の３群以上の構成を有し、第３レンズ群及びその像側の後続レンズ群を併せた後群の合成屈折力が正であり、第１レンズ群の焦点距離と広角端における全系の焦点距離との比、及び後群の合成焦点距離と望遠端における全系の焦点距離との比が規定されたズームレンズ系を開示している。
【０００７】
特開２００７−１０８３９８号公報は、前記正負正の３群以上の構成を有し、第３レンズ群及びその像側の後続レンズ群を併せた後群の合成屈折力が正であり、第１レンズ群と第２レンズ群との間隔及び第２レンズ群と後群との間隔を変えてズーミングを行い、第２レンズ群は３枚の負レンズ及び２枚の正レンズを有し、第２レンズ群中の最も正の屈折力が強い正レンズの材料のアッベ数及び部分分散比に関する規定がなされたズームレンズを開示している。
【０００８】
特開平１０−１１１４５５号公報は、前記正負正の３群以上の構成を有し、第４レンズ群は負の屈折力を有し、第５レンズ群は正の屈折力を有し、広角端での焦点距離が画面対角長よりも短く、広角端から望遠端への変倍の際に、少なくとも第５レンズ群を物体側に移動させ、かつ各レンズ群の間隔を変化させるズームレンズを開示している。
【先行技術文献】
【特許文献】
【０００９】
【特許文献１】特開２０１０−２３７４５５号公報
【特許文献２】特開２００９−２６５６５２号公報
【特許文献３】特開２００９−１７５７３６号公報
【特許文献４】特開２００９−００９１２１号公報
【特許文献５】特開２００７−１０８３９８号公報
【特許文献６】特開平１０−１１１４５５号公報
【発明の概要】
【発明が解決しようとする課題】
【００１０】
しかしながら、前記特許文献に開示のズームレンズやズームレンズ系はいずれも、ある程度の薄型化が実現されてはいるものの、ズーミングの際に収差変動が生じ易く、高いズーミング比と充分に補正された緒収差とを兼備しておらず、近年のデジタルカメラに対する要求を満足し得るものではない。
【００１１】
本発明の目的は、解像度が高いのは勿論のこと、高いズーミング比を有しながら、ズーミングの際に収差変動が少なく高性能であり、しかも薄型なズームレンズ系、該ズームレンズ系を含む撮像装置、及び該撮像装置を備えた薄型でコンパクトなカメラを提供することである。
【課題を解決するための手段】
【００１２】
上記目的の１つは、以下のズームレンズ系により達成される。すなわち本発明は、
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足することを特徴とする、ズームレンズ系
に関する。
【００１３】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足する
ことを特徴とするズームレンズ系である、撮像装置
に関する。
【００１４】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足する
ことを特徴とするズームレンズ系である、カメラ
に関する。
【発明の効果】
【００１５】
本発明によれば、解像度が高いのは勿論のこと、高いズーミング比を有しながら、ズーミングの際に収差変動が少なく高性能であり、しかも薄型なズームレンズ系、該ズームレンズ系を含む撮像装置、及び該撮像装置を備えた薄型でコンパクトなカメラを提供することができる。
【図面の簡単な説明】
【００１６】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６に係るデジタルスチルカメラの概略構成図
【発明を実施するための形態】
【００１７】
（実施の形態１〜５）
図１、４、７、１０及び１３は、各々実施の形態１〜５に係るズームレンズ系のレンズ配置図である。
【００１８】
図１、４、７、１０及び１３は、いずれも無限遠合焦状態にあるズームレンズ系を表している。各図において、（ａ）図は広角端のレンズ構成、（ｂ）図は中間位置のレンズ構成、（ｃ）図は望遠端のレンズ構成をそれぞれ表している。なお、広角端とは最短焦点距離状態で、その焦点距離をｆＷで表す。中間位置とは、中間焦点距離状態で、その焦点距離をｆＭ＝√（ｆＷ＊ｆＴ）で表す。望遠端とは、最長焦点距離状態で、その焦点距離をｆＴで表す。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、図１、４、７及び１３では、後述する第４レンズ群Ｇ４が無限遠合焦状態から近接物体合焦状態へのフォーカシングの際に移動する方向を示しており、図１０では、後述する第５レンズ群Ｇ５が無限遠合焦状態から近接物体合焦状態へのフォーカシングの際に移動する方向を示している。
【００１９】
実施の形態１〜４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。実施の形態５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備える。
【００２０】
実施の形態１〜３に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、及び第４レンズ群Ｇ４と第５レンズ群Ｇ５との間隔がいずれも変化するように、第１レンズ群Ｇ１、第２レンズ群Ｇ２、第３レンズ群Ｇ３及び第４レンズ群Ｇ４が光軸に沿った方向にそれぞれ移動する。実施の形態４に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、及び第４レンズ群Ｇ４と第５レンズ群Ｇ５との間隔がいずれも変化するように、全てのレンズ群が光軸に沿った方向にそれぞれ移動する。実施の形態５に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、全てのレンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００２１】
なお図１、４、７、１０及び１３において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側、すなわち、図１、４、７及び１０では像面Ｓと第５レンズ群Ｇ５の最像側レンズ面との間、図１３では像面Ｓと第４レンズ群Ｇ４の最像側レンズ面との間には、光学的ローパスフィルタや撮像素子のフェースプレート等と等価な平行平板Ｐが設けられている。
【００２２】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２３】
実施の形態１に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面である。
【００２４】
実施の形態１に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面である。
【００２５】
実施の形態１に係るズームレンズ系において、第４レンズ群Ｇ４は、物体側に凸面を向けた負メニスカス形状の第１１レンズ素子Ｌ１１のみからなる。
【００２６】
実施の形態１に係るズームレンズ系において、第５レンズ群Ｇ５は、両凸形状の第１２レンズ素子Ｌ１２のみからなる。この第１２レンズ素子Ｌ１２は、その両面が非球面である。
【００２７】
なお、実施の形態１に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００２８】
実施の形態１に係るズームレンズ系において、像面Ｓの物体側、すなわち像面Ｓと第１２レンズ素子Ｌ１２との間には、平行平板Ｐが設けられている。
【００２９】
実施の形態１に係るズームレンズ系において、撮像時の広角端から望遠端へのズーミングの際に、第１レンズ群Ｇ１及び第４レンズ群Ｇ４は、略単調に物体側へ移動し、第２レンズ群Ｇ２は、像側に凸の軌跡を描いて像側へ移動し、第３レンズ群Ｇ３は、単調に物体側へ移動し、第５レンズ群Ｇ５は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００３０】
さらに、実施の形態１に係るズームレンズ系において、無限遠合焦状態から近接物体合焦状態へのフォーカシングの際に、第４レンズ群Ｇ４が光軸に沿って像側へ移動する。
【００３１】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３２】
実施の形態２に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面である。
【００３３】
実施の形態２に係るズームレンズ系において、第３レンズ群Ｇ３は、物体側から像側へと順に、両凸形状の第７レンズ素子Ｌ７と、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面である。
【００３４】
実施の形態２に係るズームレンズ系において、第４レンズ群Ｇ４は、物体側に凸面を向けた負メニスカス形状の第１１レンズ素子Ｌ１１のみからなる。
【００３５】
実施の形態２に係るズームレンズ系において、第５レンズ群Ｇ５は、両凸形状の第１２レンズ素子Ｌ１２のみからなる。この第１２レンズ素子Ｌ１２は、その両面が非球面である。
【００３６】
なお、実施の形態２に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００３７】
実施の形態２に係るズームレンズ系において、像面Ｓの物体側、すなわち像面Ｓと第１２レンズ素子Ｌ１２との間には、平行平板Ｐが設けられている。
【００３８】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、略単調に物体側へ移動し、第４レンズ群Ｇ４は、単調に物体側へ移動し、第５レンズ群Ｇ５は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００３９】
さらに、実施の形態２に係るズームレンズ系において、無限遠合焦状態から近接物体合焦状態へのフォーカシングの際に、第４レンズ群Ｇ４が光軸に沿って像側へ移動する。
【００４０】
図７に示すように、実施の形態３に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４１】
実施の形態３に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面である。
【００４２】
実施の形態３に係るズームレンズ系において、第３レンズ群Ｇ３は、物体側から像側へと順に、両凸形状の第７レンズ素子Ｌ７と、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面である。
【００４３】
実施の形態３に係るズームレンズ系において、第４レンズ群Ｇ４は、物体側に凸面を向けた負メニスカス形状の第１１レンズ素子Ｌ１１のみからなる。
【００４４】
実施の形態３に係るズームレンズ系において、第５レンズ群Ｇ５は、両凸形状の第１２レンズ素子Ｌ１２のみからなる。この第１２レンズ素子Ｌ１２は、その両面が非球面である。
【００４５】
なお、実施の形態３に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００４６】
実施の形態３に係るズームレンズ系において、像面Ｓの物体側、すなわち像面Ｓと第１２レンズ素子Ｌ１２との間には、平行平板Ｐが設けられている。
【００４７】
実施の形態３に係るズームレンズ系において、撮像時の広角端から望遠端へのズーミングの際に、第１レンズ群Ｇ１は、略単調に物体側へ移動し、第２レンズ群Ｇ２は、像側に凸の軌跡を描いて像側へ移動し、第３レンズ群Ｇ３は、単調に物体側へ移動し、第４レンズ群Ｇ４は、像側に凸の軌跡を描いて物体側へ移動し、第５レンズ群Ｇ５は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００４８】
さらに、実施の形態３に係るズームレンズ系において、無限遠合焦状態から近接物体合焦状態へのフォーカシングの際に、第４レンズ群Ｇ４が光軸に沿って像側へ移動する。
【００４９】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５０】
実施の形態４に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００５１】
実施の形態４に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第７レンズ素子Ｌ７は、その両面が非球面であり、第９レンズ素子Ｌ９は、その像側面が非球面である。
【００５２】
実施の形態４に係るズームレンズ系において、第４レンズ群Ｇ４は、物体側に凸面を向けた負メニスカス形状の第１０レンズ素子Ｌ１０のみからなる。この第１０レンズ素子Ｌ１０は、その物体側面が非球面である。
【００５３】
実施の形態４に係るズームレンズ系において、第５レンズ群Ｇ５は、両凸形状の第１１レンズ素子Ｌ１１のみからなる。この第１１レンズ素子Ｌ１１は、その両面が非球面である。
【００５４】
なお、実施の形態４に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００５５】
実施の形態４に係るズームレンズ系において、像面Ｓの物体側、すなわち像面Ｓと第１１レンズ素子Ｌ１１との間には、平行平板Ｐが設けられている。
【００５６】
実施の形態４に係るズームレンズ系において、撮像時の広角端から望遠端へのズーミングの際に、第１レンズ群Ｇ１及び第３レンズ群Ｇ３は、略単調に物体側へ移動し、第２レンズ群Ｇ２及び第５レンズ群Ｇ５は、略単調に像側へ移動し、第４レンズ群Ｇ４は、僅かに物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が変化するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００５７】
さらに、実施の形態４に係るズームレンズ系において、無限遠合焦状態から近接物体合焦状態へのフォーカシングの際に、第５レンズ群Ｇ５が光軸に沿って物体側へ移動する。
【００５８】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５９】
実施の形態５に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００６０】
実施の形態５に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１６が付与されている。また、第８レンズ素子Ｌ８は、その物体側面が非球面である。
【００６１】
実施の形態５に係るズームレンズ系において、第４レンズ群Ｇ４は、物体側に凸面を向けた正メニスカス形状の第１０レンズ素子Ｌ１０のみからなる。この第１０レンズ素子Ｌ１０は、その両面が非球面である。
【００６２】
なお、実施の形態５に係るズームレンズ系において、第３レンズ群Ｇ３と第４レンズ群Ｇ４との間には開口絞りＡが設けられている。該開口絞りＡは、撮像時の広角端から望遠端へのズーミングの際に、第３レンズ群Ｇ３と一体的に光軸上を物体側へ移動する。
【００６３】
実施の形態５に係るズームレンズ系において、像面Ｓの物体側、すなわち像面Ｓと第１０レンズ素子Ｌ１０との間には、平行平板Ｐが設けられている。
【００６４】
実施の形態５に係るズームレンズ系において、撮像時の広角端から望遠端へのズーミングの際に、第１レンズ群Ｇ１及び第３レンズ群Ｇ３は、略単調に物体側へ移動し、第２レンズ群Ｇ２は、略単調に像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化するように、第１レンズ群Ｇ１、第２レンズ群Ｇ２、第３レンズ群Ｇ３及び第４レンズ群Ｇ４が光軸に沿ってそれぞれ移動する。
【００６５】
さらに、実施の形態５に係るズームレンズ系において、無限遠合焦状態から近接物体合焦状態へのフォーカシングの際に、第４レンズ群Ｇ４が光軸に沿って物体側へ移動する。
【００６６】
実施の形態１〜５に係るズームレンズ系では、第３レンズ群Ｇ３と第４レンズ群Ｇ４との間に開口絞りＡが配置されており、撮像時の広角端から望遠端へのズーミングの際に、該開口絞りＡが第３レンズ群Ｇ３と一体的に光軸に沿って移動するので、高い光学性能を維持しつつ、レンズ系全体の小型化が可能である。
【００６７】
実施の形態１〜５に係るズームレンズ系では、第３レンズ群Ｇ３が２枚以上のレンズ素子と１つ以上のレンズ素子間空気間隔とを有しているので、緒収差を良好に補正することができ、高い光学性能を維持しつつ、高いズーミング比を有しながらレンズ系全体の小型化が可能である。
【００６８】
実施の形態１〜５に係るズームレンズ系では、第４レンズ群Ｇ４が１枚のレンズ素子で構成されているので、レンズ系全体の小型化を可能にしている。また実施の形態１〜３及び５に係るズームレンズ系では、無限遠合焦状態から近接物体合焦状態へのフォーカシングの際に、迅速なフォーカシングを容易にしている。
【００６９】
実施の形態１〜４に係るズームレンズ系では、第５レンズ群Ｇ５が１枚のレンズ素子で構成されているので、レンズ系全体の小型化を可能にしている。また実施の形態４に係るズームレンズ系では、無限遠合焦状態から近接物体合焦状態へのフォーカシングの際に、迅速なフォーカシングを容易にしている。
【００７０】
実施の形態１〜５に係るズームレンズ系では、無限遠合焦状態から近接物体合焦状態へのフォーカシングの際に、第４レンズ群Ｇ４又は第５レンズ群Ｇ５が光軸に沿って移動するので、近接物体合焦状態においても高い光学性能を保持することができる。
【００７１】
なお、実施の形態１〜４に係るズームレンズ系は５群構成であり、実施の形態５に係るズームレンズ系は４群構成であるが、４群以上である限りレンズ系を構成するレンズ群の数には特に限定がない。また、第４レンズ群及び該第４レンズ群よりも像側に位置するレンズ群のパワーにも特に限定がない。
【００７２】
実施の形態１〜４に係るズームレンズ系では、第１レンズ群Ｇ１乃至第５レンズ群Ｇ５のうちのいずれかのレンズ群、実施の形態５に係るズームレンズ系では、第１レンズ群Ｇ１乃至第４レンズ群Ｇ４のうちのいずれかのレンズ群を、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【００７３】
全系の振動による像点移動を補正する際に、例えば第３レンズ群Ｇ３が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００７４】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００７５】
以下、例えば実施の形態１〜５に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００７６】
例えば実施の形態１〜５に係るズームレンズ系のように、物体側から像側へと順に、正のパワーを有する第１レンズ群と、負のパワーを有する第２レンズ群と、正のパワーを有する第３レンズ群と、パワーを有する第４レンズ群と、第３レンズ群と第４レンズ群との間に配置した開口絞りとを備え、撮像時の広角端から望遠端へのズーミングの際に、第１レンズ群、第２レンズ群及び第３レンズ群を光軸に沿って移動させて変倍を行い、第３レンズ群が、２枚以上のレンズ素子と、１つ以上のレンズ素子間空気間隔とを有するズームレンズ系は、以下の条件（１）及び（ａ）を満足する。以下、このようなズームレンズ系のレンズ構成を、実施の形態の基本構成という。
−７．０＜ｆ１／ｆ２＜−４．０  ・・・（１）
ｆＴ／ｆＷ＞９．０  ・・・（ａ）
ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である。
【００７７】
前記条件（ａ）は、広角端における全系の焦点距離と望遠端における全系の焦点距離との比を規定するための条件である。基本構成を有するズームレンズ系は、該条件（ａ）を満足しているので、高いズーミング比を有し、高倍率を確保することができる。
【００７８】
前記条件（１）は、第１レンズ群の焦点距離と第２レンズ群の焦点距離との比を規定するための条件である。条件（１）の下限を下回ると、第２レンズ群の焦点距離が小さくなり過ぎ、変倍時の収差変動が大きくなって緒収差の補正が困難になる。また、第１レンズ群の焦点距離が大きくなり過ぎ、高倍率を確保するために必要な第１レンズ群の移動量が大きくなり過ぎて、コンパクトなレンズ鏡筒や撮像装置、カメラを提供することが困難となる。条件（１）の上限を上回ると、第１レンズ群の焦点距離が小さくなり過ぎ、変倍時の収差変動が大きくなって緒収差の補正が困難になるとともに、第１レンズ群の径も大きくなることから、コンパクトなレンズ鏡筒や撮像装置、カメラを提供することが困難となる。また、第１レンズ群の傾きに対する誤差感度も高くなり過ぎ、光学系の組み立てが困難になる場合がある。
【００７９】
なお、前記条件（１）は、以下の条件（ａ）’において満足することが好ましい。
ｆＴ／ｆＷ＞１３．０  ・・・（ａ）’
【００８０】
例えば実施の形態１〜５に係るズームレンズ系のように、基本構成を有するズームレンズ系は、以下の条件（２）を満足することが好ましい。
０．５＜｜ｆ１／ｆ４｜＜４．２  ・・・（２）
ここで、
ｆ１：第１レンズ群の合成焦点距離、
ｆ４：第４レンズ群の合成焦点距離
である。
【００８１】
前記条件（２）は、第１レンズ群の焦点距離と第４レンズ群の焦点距離との比を規定するための条件である。条件（２）の下限を下回ると、第４レンズ群の焦点距離が大きくなり過ぎ、第４レンズ群の移動量が大きくなり過ぎて、コンパクトなレンズ鏡筒や撮像装置、カメラを提供することが困難となる。また、第１レンズ群の焦点距離が小さくなり過ぎ、変倍時の収差変動が大きくなって緒収差の補正が困難になるとともに、第１レンズ群の径も大きくなることから、コンパクトなレンズ鏡筒や撮像装置、カメラを提供することが困難となる。また、第１レンズ群の傾きに対する誤差感度も高くなり過ぎ、光学系の組み立てが困難になる場合がある。条件（２）の上限を上回ると、第１レンズ群の焦点距離が大きくなり過ぎ、高倍率を確保するために必要な第１レンズ群の移動量が大きくなり過ぎ、コンパクトなレンズ鏡筒や撮像装置、カメラを提供することが困難となる。
【００８２】
なお、さらに以下の条件（２）’及び（２）’’の少なくとも１つを満足することにより、前記効果をさらに奏功させることができる。
１．５＜｜ｆ１／ｆ４｜  ・・・（２）’
｜ｆ１／ｆ４｜＜３．０  ・・・（２）’’
【００８３】
また、前記条件（２）、（２）’及び（２）’’は、前記条件（ａ）’において満足することが好ましい。
【００８４】
例えば実施の形態１〜５に係るズームレンズ系のように、基本構成を有するズームレンズ系は、以下の条件（３）を満足することが好ましい。
０．８＜ＬＴ／ｆＴ＜１．４  ・・・（３）
ここで、
ＬＴ：望遠端におけるレンズ全長（第１レンズ群の最物体側面から像面までの距離）、
ｆＴ：望遠端における全系の焦点距離
である。
【００８５】
前記条件（３）は、望遠端におけるレンズ全長と望遠端における全系の焦点距離との比を規定するための条件である。条件（３）の下限を下回ると、望遠端におけるレンズ全長が短くなり過ぎ、各レンズ群の焦点距離が小さくなり過ぎて、変倍時の収差変動が大きくなって緒収差の補正が困難になる。条件（３）の上限を上回ると、望遠端におけるレンズ全長が長くなり過ぎ、コンパクトなレンズ鏡筒や撮像装置、カメラを提供することが困難となる。
【００８６】
なお、さらに以下の条件（３）’及び（３）’’の少なくとも１つを満足することにより、前記効果をさらに奏功させることができる。
０．９＜ＬＴ／ｆＴ  ・・・（３）’
ＬＴ／ｆＴ＜１．２  ・・・（３）’’
【００８７】
また、前記条件（３）、（３）’及び（３）’’は、前記条件（ａ）’において満足することが好ましい。
【００８８】
実施の形態１〜５に係るズームレンズ系を構成している各レンズ群は、入射光線を屈折により偏向させる屈折型レンズ素子、すなわち、異なる屈折率を有する媒質同士の界面で偏向が行われるタイプのレンズ素子のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００８９】
さらに各実施の形態では、像面Ｓの物体側、すなわち、実施の形態１〜４では像面Ｓと第５レンズ群Ｇ５の最像側レンズ面との間、実施の形態５では像面Ｓと第４レンズ群Ｇ４の最像側レンズ面との間には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００９０】
（実施の形態６）
図１６は、実施の形態６に係るデジタルスチルカメラの概略構成図である。図１６において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１６において、ズームレンズ系１は、第１レンズ群Ｇ１と、第２レンズ群Ｇ２と、第３レンズ群Ｇ３と、開口絞りＡと、第４レンズ群Ｇ４と、第５レンズ群Ｇ５とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００９１】
鏡筒は、主鏡筒５と、移動鏡筒６と、円筒カム７とで構成されている。円筒カム７を回転させると、第１レンズ群Ｇ１、第２レンズ群Ｇ２、第３レンズ群Ｇ３と開口絞りＡ、第４レンズ群Ｇ４及び第５レンズ群Ｇ５が撮像素子２を基準にした所定の位置に移動し、広角端から望遠端までのズーミングを行うことができる。第４レンズ群Ｇ４はフォーカス調整用モータにより光軸方向に移動可能である。
【００９２】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１６に示したデジタルスチルカメラには、実施の形態１に係るズームレンズ系の替わりに実施の形態２〜５に係るズームレンズ系のいずれかを用いてもよい。また、図１６に示したデジタルスチルカメラの光学系は、動画像を対象とするデジタルビデオカメラに用いることもできる。この場合、静止画像だけでなく、解像度の高い動画像を撮影することができる。
【００９３】
なお、本実施の形態６に係るデジタルスチルカメラでは、ズームレンズ系１として実施の形態１〜５に係るズームレンズ系を示したが、これらのズームレンズ系は、全てのズーミング域を使用する必要はない。すなわち、所望のズーミング域に応じて、光学性能が確保されている範囲を切り出し、実施の形態１〜５で説明したズームレンズ系よりも低倍率のズームレンズ系として使用してもよい。
【００９４】
さらに、実施の形態６では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態６において、第２レンズ群Ｇ２全体、第３レンズ群Ｇ３全体、第２レンズ群Ｇ２あるいは第３レンズ群Ｇ３の一部等のズームレンズ系を構成している一部のレンズ群を、沈胴時に光軸上から退避させる、いわゆるスライディング鏡筒にズームレンズ系を適用してもよい。
【００９５】
また、以上説明した実施の形態１〜５に係るズームレンズ系と、ＣＣＤやＣＭＯＳ等の撮像素子とから構成される撮像装置を、スマートフォン等の携帯情報端末、Ｐｅｒｓｏｎａｌ  Ｄｉｇｉｔａｌ  Ａｓｓｉｓｔａｎｃｅ、監視システムにおける監視カメラ、Ｗｅｂカメラ、車載カメラ等に適用することもできる。
【００９６】
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2012101959.tif 000021
ここで、κは円錐定数、Ａ４、Ａ６、Ａ８、Ａ１０、Ａ１２及びＡ１４は、それぞれ４次、６次、８次、１０次、１２次及び１４次の非球面係数である。
【００９７】
図２、５、８、１１及び１４は、各々数値実施例１〜５に係るズームレンズ系の縦収差図である。
【００９８】
各縦収差図において、（ａ）図は広角端、（ｂ）図は中間位置、（ｃ）図は望遠端における各収差を表す。各縦収差図は、左側から順に、球面収差、非点収差、歪曲収差を示す。なお各図中において、球面収差はＳＡ（ｍｍ）、非点収差はＡＳＴ（ｍｍ）、歪曲収差はＤＩＳ（％）で表す。球面収差図において、縦軸はＦナンバーを表し、実線は波長５８７．５６ｎｍのｄ線、短破線は波長４８６．１３ｎｍのＦ線、長破線は波長６５６．２８ｎｍのＣ線の特性である。非点収差図において、縦軸は像高を表し、実線はサジタル平面、破線はメリディオナル平面の特性である。歪曲収差図において、縦軸は像高を表す。なお各図中において、ＦナンバーはＦ、像高はＨ、サジタル平面はｓ、メリディオナル平面はｍで表す。
【００９９】
また図３、６、９、１２及び１５は、各々数値実施例１〜５に係るズームレンズ系の望遠端における横収差図である。
【０１００】
各横収差図において、上段３つの収差図は、望遠端における像ぶれ補正を行っていない基本状態、下段３つの収差図は、第３レンズ群Ｇ３全体を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線、短破線はＦ線、長破線はＣ線の特性である。なお各横収差図において、メリディオナル平面を、第１レンズ群Ｇ１の光軸と第３レンズ群Ｇ３の光軸とを含む平面としている。
【０１０１】
なお、各数値実施例のズームレンズ系について、望遠端における、像ぶれ補正状態での第３レンズ群Ｇ３の光軸と垂直な方向への移動量は、以下に示すとおりである。
数値実施例１  ０．０９４ｍｍ
数値実施例２  ０．０８２ｍｍ
数値実施例３  ０．１０５ｍｍ
数値実施例４  ０．１２５ｍｍ
数値実施例５  ０．１９７ｍｍ
【０１０２】
撮影距離が∞で望遠端において、ズームレンズ系が０．３°だけ傾いた場合の像偏心量は、第３レンズ群Ｇ３全体が光軸と垂直な方向に上記の各値だけ平行移動するときの像偏心量に等しい。
【０１０３】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１０４】
（数値実施例１）
数値実施例１のズームレンズ系は、図１に示した実施の形態１に対応する。数値実施例１のズームレンズ系の面データを表１に、非球面データを表２に、各種データを表３に示す。
【０１０５】
表  １（面データ）
面番号         r           d           nd         vd                
物面             ∞                                               
1         39.12230     0.75000     1.84666    23.8               
2         24.34130     0.01000     1.56732    42.8               
3         24.34130     2.57250     1.49700    81.6               
4        669.01800     0.15000                                   
5         24.12950     1.79680     1.72916    54.7               
6         79.16250        可変                                   
7*        40.41520     0.50000     1.87702    37.0               
8*         4.92640     3.70580                                   
9         -8.33810     0.30000     1.72916    54.7               
10        -88.01810     0.22870                                   
11         27.63010     1.21460     1.94595    18.0               
12        -34.07630        可変                                   
13*         5.61650     2.15450     1.58332    59.1               
14*       -22.78570     0.50340                                   
15          8.07340     1.26250     1.49700    81.6               
16       -490.35460     0.01000     1.56732    42.8               
17       -490.35460     0.30000     1.90366    31.3               
18          4.81270     0.35810                                   
19         12.15960     1.20290     1.52996    55.8               
20        -11.64830     0.40000                                   
21(絞り)           ∞        可変                                   
22         30.16120     0.50000     1.88300    40.8               
23          8.20900        可変                                   
24*         9.68560     2.23030     1.52996    55.8               
25*       -93.78700     2.36430                                   
26               ∞     0.78000     1.51680    64.2               
27               ∞        (BF)                                       
像面             ∞                                               
【０１０６】
表  ２（非球面データ）
第7面
K= 0.00000E+00, A4=-5.63481E-04, A6= 3.11555E-05, A8=-8.17750E-07 
A10= 8.06105E-09, A12= 0.00000E+00 
第8面
K= 0.00000E+00, A4=-8.76674E-04, A6=-1.12420E-05, A8= 2.70324E-06 
A10=-1.33807E-07, A12= 0.00000E+00 
第13面
K= 0.00000E+00, A4=-7.29201E-04, A6=-1.17969E-05, A8=-6.10823E-06 
A10= 6.74583E-07, A12=-4.48240E-08 
第14面
K= 0.00000E+00, A4= 8.59168E-05, A6=-2.47587E-05, A8=-1.87567E-06 
A10= 1.46231E-07, A12=-2.05601E-08 
第24面
K= 0.00000E+00, A4=-6.47588E-04, A6= 8.67198E-05, A8=-5.62682E-06 
A10= 1.93110E-07, A12=-4.72323E-09 
第25面
K= 0.00000E+00, A4=-7.33472E-04, A6= 3.89493E-05, A8=-1.04425E-06 
A10=-4.32516E-08, A12= 0.00000E+00
【０１０７】
表  ３（各種データ）
ズーム比    14.71263
広角      中間      望遠
焦点距離       4.4482   17.0693   65.4446
Ｆナンバー     3.44055   4.49104   6.16167
画角        45.0718   12.6331    3.4043
像高         3.7000    3.9000    3.9000
レンズ全長     46.3632   51.3938   62.4654
ＢＦ        0.48241   0.50874   0.45483
d6           0.3000   10.7372   21.3604 
d12         16.7953    5.1183    0.3000 
d21          3.4276    9.1186   10.4391 
d23          2.0635    2.6166    6.6167 
入射瞳位置     11.0268   35.9621  125.0203
射出瞳位置    -11.4186  -20.0329  -54.5925
前側主点位置   13.8124   38.8475  112.6593
後側主点位置   41.9150   34.3246   -2.9791
単レンズデータ
レンズ     始面     焦点距離
1         1      -77.9069
2         3       50.7587
3         5       46.9551
4         7       -6.4393
5         9      -12.6519
6        11       16.2860
7        13        7.9466
8        15       15.9947
9        17       -5.2725
10        19       11.4258
11        22      -12.9111
12        24       16.6900
ズームレンズ群データ
群   始面    焦点距離  レンズ構成長    前側主点位置  後側主点位置
1      1    36.28987     5.27930         1.15149       3.09442
2      7    -5.85194     5.94910         0.35671       1.13559
3     13     9.23453     6.19140        -0.30820       1.47404
4     22   -12.91111     0.50000         0.36877       0.60037
5     24    16.68996     5.37460         0.13748       1.16482
ズームレンズ群倍率
群   始面    広角       中間       望遠
1      1    0.00000    0.00000    0.00000
2      7   -0.21205   -0.34104   -0.89535
3     13   -0.48200   -1.12114   -1.38610
4     22    1.66825    1.71504    2.01678
5     24    0.71886    0.71728    0.72051
【０１０８】
（数値実施例２）
数値実施例２のズームレンズ系は、図４に示した実施の形態２に対応する。数値実施例２のズームレンズ系の面データを表４に、非球面データを表５に、各種データを表６に示す。
【０１０９】
表  ４（面データ）
面番号         r           d           nd         vd                
物面             ∞                                               
1         31.08320     0.75000     1.84666    23.8               
2         20.54660     0.01000     1.56732    42.8               
3         20.54660     2.64550     1.49700    81.6               
4        152.85880     0.15000                                   
5         24.63830     1.66280     1.72916    54.7               
6        107.30480        可変                                   
7*        49.15490     0.50000     1.87702    37.0               
8*         5.54240     3.71900                                   
9        -10.64890     0.30000     1.72916    54.7               
10        112.56090     0.22460                                   
11         20.71430     1.29040     1.94595    18.0               
12        -81.81860        可変                                   
13*         5.43680     1.87130     1.58332    59.1               
14*       -22.36220     0.40260                                   
15          6.57880     1.45360     1.49700    81.6               
16         46.91020     0.01000     1.56732    42.8               
17         46.91020     0.30000     1.90366    31.3               
18          4.17360     0.30410                                   
19          7.92300     1.07350     1.52996    55.8               
20        -15.71980     0.40000                                   
21(絞り)           ∞        可変                                   
22         19.40140     0.50000     1.88300    40.8               
23          5.56050        可変                                   
24*         9.90500     2.27410     1.52996    55.8               
25*       -84.49410     2.25770                                   
26               ∞     0.78000     1.51680    64.2               
27               ∞        (BF)                                       
像面             ∞                                               
【０１１０】
表  ５（非球面データ）
第7面
K= 0.00000E+00, A4=-6.82260E-04, A6= 3.42662E-05, A8=-7.06863E-07 
A10= 5.24073E-09, A12= 0.00000E+00 
第8面
K= 0.00000E+00, A4=-8.55257E-04, A6=-2.08462E-06, A8= 2.57595E-06 
A10=-7.86710E-08, A12= 0.00000E+00 
第13面
K= 0.00000E+00, A4=-7.38915E-04, A6= 6.12372E-06, A8=-7.45037E-06 
A10= 7.92758E-07, A12=-5.22500E-08 
第14面
K= 0.00000E+00, A4= 1.71678E-04, A6= 7.80329E-06, A8=-4.99088E-06 
A10= 3.22395E-07, A12=-2.42946E-08 
第24面
K= 0.00000E+00, A4=-4.14254E-04, A6= 1.04417E-04, A8=-5.96937E-06 
A10= 1.47200E-07, A12=-3.27839E-09 
第25面
K= 0.00000E+00, A4=-8.50740E-04, A6= 9.56957E-05, A8=-5.15879E-06 
A10= 3.50417E-08, A12= 0.00000E+00
【０１１１】
表  ６（各種データ）
ズーム比    11.03063
広角      中間      望遠
焦点距離       4.4498   14.8500   49.0837
Ｆナンバー     3.44101   4.73422   6.16062
画角        42.8989   14.5685    4.5571
像高         3.5000    3.9000    3.9000
レンズ全長     47.2343   46.2180   52.9687
ＢＦ        0.48722   0.48685   0.45643
d6           0.3000    8.1432   17.4571 
d12         19.1524    6.1570    0.3000 
d21          1.6677    4.6342    6.6017 
d23          2.7478    3.9176    5.2743 
入射瞳位置     12.0384   30.0889   89.9355
射出瞳位置    -10.1822  -16.6238  -24.5944
前側主点位置   14.6324   32.0509   42.8463
後側主点位置   42.7846   31.3680    3.8850
単レンズデータ
レンズ     始面     焦点距離
1         1      -74.0055
2         3       47.4464
3         5       43.4920
4         7       -7.1611
5         9      -13.3284
6        11       17.5816
7        13        7.6883
8        15       15.2143
9        17       -5.0866
10        19       10.0990
11        22       -8.9793
12        24       16.8698
ズームレンズ群データ
群   始面    焦点距離  レンズ構成長    前側主点位置  後側主点位置
1      1    33.79578     5.21830         1.12238       3.01496
2      7    -6.26139     6.03400         0.48676       1.44491
3     13     8.11525     5.81510        -0.43186       1.41460
4     22    -8.97929     0.50000         0.37862       0.60851
5     24    16.86977     5.31180         0.15727       1.19825
ズームレンズ群倍率
群   始面    広角       中間       望遠
1      1    0.00000    0.00000    0.00000
2      7   -0.25511   -0.37491   -0.84760
3     13   -0.35202   -0.75087   -1.02588
4     22    2.01596    2.14616    2.29086
5     24    0.72728    0.72730    0.72910
【０１１２】
（数値実施例３）
数値実施例３のズームレンズ系は、図７に示した実施の形態３に対応する。数値実施例３のズームレンズ系の面データを表７に、非球面データを表８に、各種データを表９に示す。
【０１１３】
表  ７（面データ）
面番号         r           d           nd         vd                
物面             ∞                                               
1         57.54400     0.75000     1.84666    23.8               
2         32.90100     0.01000     1.56732    42.8               
3         32.90100     2.61090     1.49700    81.6               
4       -118.20340     0.15000                                   
5         24.21850     1.52590     1.72916    54.7               
6         50.97680        可変                                   
7*        29.35900     0.50000     1.87702    37.0               
8*         5.29960     4.05300                                   
9         -7.89080     0.30000     1.72916    54.7               
10        -60.13670     0.23680                                   
11         41.52720     1.27550     1.94595    18.0               
12        -26.55800        可変                                   
13*         6.06960     2.37110     1.58332    59.1               
14*       -23.88150     0.31890                                   
15          7.14320     1.38840     1.49700    81.6               
16        109.61190     0.01000     1.56732    42.8               
17        109.61190     0.30000     1.90366    31.3               
18          4.95430     0.45800                                   
19         23.14400     1.09800     1.52996    55.8               
20        -12.30130     0.40000                                   
21(絞り)           ∞        可変                                   
22         30.20470     0.50000     1.88300    40.8               
23         10.26950        可変                                   
24*        10.66430     2.04270     1.52996    55.8               
25*       -98.22820     2.84340                                   
26               ∞     0.78000     1.51680    64.2               
27               ∞        (BF)                                       
像面             ∞                                               
【０１１４】
表  ８（非球面データ）
第7面
K= 0.00000E+00, A4=-7.15790E-04, A6= 3.34579E-05, A8=-6.64896E-07 
A10= 4.88846E-09, A12= 0.00000E+00 
第8面
K= 0.00000E+00, A4=-9.90606E-04, A6=-3.67284E-06, A8= 1.95498E-06 
A10=-6.58573E-08, A12= 0.00000E+00 
第13面
K= 0.00000E+00, A4=-6.16082E-04, A6=-3.68104E-07, A8=-5.75983E-06 
A10= 5.43157E-07, A12=-2.72234E-08 
第14面
K= 0.00000E+00, A4= 1.78340E-05, A6=-3.72044E-06, A8=-4.60879E-06 
A10= 4.06332E-07, A12=-2.11784E-08 
第24面
K= 0.00000E+00, A4=-1.08567E-03, A6= 1.14745E-04, A8=-6.05001E-06 
A10= 1.55891E-07, A12=-2.89195E-09 
第25面
K= 0.00000E+00, A4=-1.36541E-03, A6= 1.09701E-04, A8=-4.19438E-06 
A10= 2.41875E-08, A12= 0.00000E+00
【０１１５】
表  ９（各種データ）
ズーム比    16.47230
広角      中間      望遠
焦点距離       4.4501   18.0934   73.3027
Ｆナンバー     3.44164   4.20219   6.16157
画角        41.5033   11.9452    3.0330
像高         3.4000    3.9000    3.9000
レンズ全長     49.0167   55.3864   70.1058
ＢＦ        0.49135   0.52241   0.45938
d6           0.3000   12.2557   24.4860 
d12         18.5099    5.2649    0.3000 
d21          3.6190   11.3314   12.4827 
d23          2.1738    2.0894    8.4551 
入射瞳位置     11.3371   38.4866  134.4812
射出瞳位置    -12.3397  -22.9441 -128.8978
前側主点位置   14.2438   42.6294  166.2455
後側主点位置   44.5666   37.2930   -3.1969
単レンズデータ
レンズ     始面     焦点距離
1         1      -92.0253
2         3       52.0843
3         5       61.7901
4         7       -7.4461
5         9      -12.4864
6        11       17.2815
7        13        8.5459
8        15       15.3058
9        17       -5.7498
10        19       15.3205
11        22      -17.8312
12        24       18.2708
ズームレンズ群データ
群   始面    焦点距離  レンズ構成長    前側主点位置  後側主点位置
1      1    41.06452     5.04680         1.21748       3.07560
2      7    -6.41603     6.36530         0.48274       1.30249
3     13    10.09615     6.34440        -0.66695       1.36063
4     22   -17.83121     0.50000         0.40711       0.63842
5     24    18.27085     5.66610         0.13161       1.09620
ズームレンズ群倍率
群   始面    広角       中間       望遠
1      1    0.00000    0.00000    0.00000
2      7   -0.20116   -0.32179   -0.83233
3     13   -0.49210   -1.25492   -1.58845
4     22    1.51412    1.51273    1.86297
5     24    0.72299    0.72129    0.72474
【０１１６】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１１７】
表  １０（面データ）
面番号         r           d           nd         vd                
物面             ∞                                               
1         34.34930     0.65000     1.84666    23.8               
2         21.47750     0.01000     1.56732    42.8               
3         21.47750     2.03800     1.49700    81.6               
4        147.07180     0.15000                                   
5         26.49040     1.61860     1.77250    49.6               
6        130.70190        可変                                   
7*        57.01000     0.30000     1.84973    40.6               
8*         5.45040     3.07830                                   
9*       -17.37380     0.40000     1.77200    50.0               
10         41.76440     0.15010                                   
11         15.48890     1.19800     1.94595    18.0               
12       -395.30340        可変                                   
13*         5.07260     1.87320     1.51776    69.9               
14*       -14.52160     0.29090                                   
15          7.30900     1.14640     1.69680    55.5               
16        -66.82490     0.01000     1.56732    42.8               
17        -66.82490     0.30000     1.68400    31.3               
18*         3.87590     0.50000                                   
19(絞り)           ∞        可変                                   
20*        12.63810     0.50000     1.68400    31.3               
21          8.93930        可変                                   
22*        26.96660     1.68640     1.58332    59.1               
23*       -17.12980        可変                                   
24               ∞     0.78000     1.51680    64.2               
25               ∞        (BF)                                       
像面             ∞                                               
【０１１８】
表  １１（非球面データ）
第7面
K= 0.00000E+00, A4=-8.94401E-04, A6= 6.21567E-05, A8=-1.98151E-06 
A10= 2.99161E-08, A12=-1.77821E-10, A14= 0.00000E+00 
第8面
K= 0.00000E+00, A4=-1.06030E-03, A6= 2.36965E-05, A8= 1.64213E-06 
A10=-5.56501E-08, A12=-1.14121E-09, A14= 0.00000E+00 
第9面
K= 0.00000E+00, A4= 5.29698E-05, A6=-3.68820E-06, A8= 3.32156E-07 
A10=-6.16745E-09, A12= 0.00000E+00, A14= 0.00000E+00 
第13面
K= 0.00000E+00, A4=-7.42045E-04, A6=-9.81495E-06, A8=-1.14627E-05 
A10= 2.41648E-06, A12=-2.74102E-07, A14= 1.22994E-08 
第14面
K= 0.00000E+00, A4= 6.07823E-04, A6=-6.47865E-05, A8= 4.56339E-06 
A10=-2.28093E-07, A12=-1.28148E-08, A14= 3.13084E-09 
第18面
K= 0.00000E+00, A4= 1.90160E-04, A6= 8.06372E-05, A8= 5.02360E-06 
A10=-1.29991E-06, A12= 0.00000E+00, A14= 0.00000E+00 
第20面
K= 0.00000E+00, A4=-3.85673E-04, A6= 1.93928E-05, A8=-8.23950E-07 
A10= 4.98393E-09, A12= 0.00000E+00, A14= 0.00000E+00 
第22面
K= 0.00000E+00, A4= 1.33733E-03, A6=-8.40850E-05, A8= 5.21020E-06 
A10=-1.89946E-07, A12= 2.92945E-09, A14= 0.00000E+00 
第23面
K= 0.00000E+00, A4= 1.25012E-03, A6=-9.34022E-05, A8= 5.55813E-06 
A10=-2.00544E-07, A12= 3.06426E-09, A14= 0.00000E+00
【０１１９】
表  １２（各種データ）
ズーム比     9.39473
広角      中間      望遠
焦点距離       4.6466   14.2428   43.6536
Ｆナンバー     3.08881   4.92645   5.98483
画角        41.5422   15.0391    5.0055
像高         3.6000    3.9000    3.9000
レンズ全長     42.4542   46.6111   55.6771
ＢＦ        0.77933   0.75151   0.73920
d6           0.3000    7.6536   17.9500 
d12         16.4289    6.0700    0.9031 
d19          1.0129    6.9323   10.8336 
d21          2.4853    3.9951    5.9037 
d23          4.7679    4.5287    2.6676 
入射瞳位置     11.0513   25.3144   75.1476
射出瞳位置    -11.4768  -31.6472  -99.8114
前側主点位置   13.9362   33.2959   99.8492
後側主点位置   37.8076   32.3683   12.0235
単レンズデータ
レンズ     始面     焦点距離
1         1      -69.2986
2         3       50.3333
3         5       42.7195
4         7       -7.1113
5         9      -15.8467
6        11       15.7790
7        13        7.5057
8        15        9.5156
9        17       -5.3467
10        20      -47.2491
11        22       18.2151
ズームレンズ群データ
群   始面    焦点距離  レンズ構成長    前側主点位置  後側主点位置
1      1    35.53500     4.46660         0.95744       2.62125
2      7    -7.38792     5.12640        -0.01273       0.71601
3     13    10.21334     4.12050        -2.05831       0.06771
4     20   -47.24910     0.50000         1.07343       1.25927
5     22    18.21508     1.68640         0.66066       1.26673
ズームレンズ群倍率
群   始面    広角       中間       望遠
1      1    0.00000    0.00000    0.00000
2      7   -0.28399   -0.39590   -0.88325
3     13   -0.56572   -1.19853   -1.46846
4     20    1.26345    1.28209    1.24347
5     22    0.64419    0.65885    0.76170
【０１２０】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１２１】
表  １３（面データ）
面番号         r           d           nd         vd                
物面             ∞                                               
1         47.82760     0.75000     1.84666    23.8               
2         28.21300     0.01000     1.56732    42.8               
3         28.21300     3.27700     1.49700    81.6               
4      -1107.87480     0.15000                                   
5         25.29660     2.38300     1.72916    54.7               
6         77.85170        可変                                   
7         64.54210     0.30000     1.88300    40.8               
8          5.72810     2.90780                                   
9        -28.89180     0.30000     1.78590    43.9               
10         16.49550     0.41550                                   
11         11.41710     1.41500     1.94595    18.0               
12         54.34020        可変                                   
13          6.03730     3.32960     1.49700    81.6               
14        -48.63350     0.93260                                   
15*        12.17690     3.24180     1.80470    41.0               
16        -40.55760     0.01000     1.56732    42.8               
17        -40.55760     0.40000     1.84666    23.8               
18          7.33790     0.30000                                   
19(絞り)           ∞        可変                                   
20*        10.70960     1.79450     1.52500    70.3               
21*       682.87650        可変                                   
22               ∞     0.78000     1.51680    64.2               
23               ∞        (BF)                                       
像面             ∞                                               
【０１２２】
表  １４（非球面データ）
第15面
K= 0.00000E+00, A4=-7.18404E-04, A6=-2.38605E-05, A8=-8.22730E-07 
A10= 0.00000E+00 
第20面
K= 0.00000E+00, A4=-1.44429E-04, A6= 3.93254E-06, A8= 3.07661E-07 
A10=-1.38658E-08 
第21面
K= 0.00000E+00, A4=-1.01717E-04, A6= 2.13630E-06, A8= 4.46802E-07 
A10=-1.80129E-08
【０１２３】
表  １５（各種データ）
ズーム比    13.97837
広角      中間      望遠
焦点距離       4.6500   17.4002   64.9995
Ｆナンバー     3.58003   5.47052   6.27507
画角        40.7265   12.6564    3.3680
像高         3.5000    3.9020    3.9020
レンズ全長     51.3024   58.0531   68.9684
ＢＦ        0.90480   0.89076   0.84139
d6           0.3050   13.1596   25.0706 
d12         19.0154    5.8493    1.3032 
d19          5.3359    5.8777   14.8307 
d21          3.0445    9.5789    4.2257 
入射瞳位置     12.8525   47.1928  195.5208
射出瞳位置    -11.9076  -19.4587  -57.9755
前側主点位置   15.8148   49.7147  188.6883
後側主点位置   46.6524   40.6529    3.9688
単レンズデータ
レンズ     始面     焦点距離
1         1      -82.7025
2         3       55.4103
3         5       50.4274
4         7       -7.1360
5         9      -13.3223
6        11       15.0389
7        13       11.0291
8        15       11.9660
9        17       -7.3110
10        20       20.7050
ズームレンズ群データ
群   始面    焦点距離  レンズ構成長    前側主点位置  後側主点位置
1      1    39.45012     6.57000         1.49757       3.93043
2      7    -6.77455     5.33830         0.19148       1.10718
3     13    11.56553     8.21400        -3.65554       1.57167
4     20    20.70503     1.79450        -0.01873       0.60013
ズームレンズ群倍率
群   始面    広角       中間       望遠
1      1    0.00000    0.00000    0.00000
2      7   -0.22934   -0.40603   -1.41907
3     13   -0.70721   -2.63780   -1.72585
4     20    0.72674    0.41182    0.67275
【０１２４】
以下の表１６に、各数値実施例のズームレンズ系における各条件の対応値を示す。
【０１２５】
表  １６（条件の対応値）
【表１】
2012101959.tif 000022
【産業上の利用可能性】
【０１２６】
本発明に係るズームレンズ系は、デジタルカメラ、スマートフォン等の携帯情報端末、Ｐｅｒｓｏｎａｌ  Ｄｉｇｉｔａｌ  Ａｓｓｉｓｔａｎｃｅ、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１２７】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【手続補正２】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
正のパワーを有する第３レンズ群と、
パワーを有する第４レンズ群と、
前記第３レンズ群と前記第４レンズ群との間に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）を満足することを特徴とする、ズームレンズ系：
−７．０＜ｆ１／ｆ２＜−４．０  ・・・（１）
ｆＴ／ｆＷ＞９．０  ・・・（ａ）
ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である。
【請求項２】
撮像時の広角端から望遠端へのズーミングの際に、開口絞りが、第３レンズ群と一体的に光軸に沿って移動する、請求項１に記載のズームレンズ系。
【請求項３】
以下の条件（２）を満足する、請求項１に記載のズームレンズ系：
０．５＜｜ｆ１／ｆ４｜＜４．２  ・・・（２）
ここで、
ｆ１：第１レンズ群の合成焦点距離、
ｆ４：第４レンズ群の合成焦点距離
である。
【請求項４】
以下の条件（３）を満足する、請求項１に記載のズームレンズ系：
０．８＜ＬＴ／ｆＴ＜１．４  ・・・（３）
ここで、
ＬＴ：望遠端におけるレンズ全長（第１レンズ群の最物体側面から像面までの距離）、
ｆＴ：望遠端における全系の焦点距離
である。
【請求項５】
第４レンズ群が、負のパワーを有する、請求項１に記載のズームレンズ系。
【請求項６】
第４レンズ群が、１枚のレンズ素子からなる、請求項１に記載のズームレンズ系。
【請求項７】
第４レンズ群の像側に、パワーを有する第５レンズ群を備える、請求項１に記載のズームレンズ系。
【請求項８】
第５レンズ群が、正のパワーを有する、請求項７に記載のズームレンズ系。
【請求項９】
第５レンズ群が、１枚のレンズ素子からなる、請求項７に記載のズームレンズ系。
【請求項１０】
無限遠合焦状態から近接物体合焦状態へのフォーカシングの際に、第４レンズ群又は第５レンズ群が光軸に沿って移動する、請求項７に記載のズームレンズ系。
【請求項１１】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項１２】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【手続補正３】
【補正対象書類名】図面
【補正対象項目名】全図
【補正方法】変更
【補正の内容】
【図１】
2012101959.tif 000023
【図２】
2012101959.tif 000024
【図３】
2012101959.tif 000025
【図４】
2012101959.tif 000026
【図５】
2012101959.tif 000027
【図６】
2012101959.tif 000028
【図７】
2012101959.tif 000029
【図８】
2012101959.tif 000030
【図９】
2012101959.tif 000031
【図１０】
2012101959.tif 000032
【図１１】
2012101959.tif 000033
【図１２】
2012101959.tif 000034
【図１３】
2012101959.tif 000035
【図１４】
2012101959.tif 000036
【図１５】
2012101959.tif 000037
【図１６】
2012101959.tif 000038
【手続補正書】
【提出日】平成25年8月5日(2013.8.5)
【手続補正１】
【補正対象書類名】明細書
【補正対象項目名】００１２
【補正方法】変更
【補正の内容】
【００１２】
上記目的の１つは、以下のズームレンズ系により達成される。すなわち本発明は、
物体側から像側へと順に、
正のパワーを有する第１レンズ群と、
負のパワーを有する第２レンズ群と、
正のパワーを有する第３レンズ群と、
後続レンズ群とからなり、
前記後続レンズ群が、物体側から像側へと順に、負のパワーを有する第４レンズ群と正のパワーを有する第５レンズ群とであるか、又は、正のパワーを有する第４レンズ群であり、
前記第３レンズ群と前記第４レンズ群との間に開口絞りを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足することを特徴とする、ズームレンズ系
に関する。
【手続補正２】
【補正対象書類名】明細書
【補正対象項目名】００１３
【補正方法】変更
【補正の内容】
【００１３】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、
正のパワーを有する第１レンズ群と、
負のパワーを有する第２レンズ群と、
正のパワーを有する第３レンズ群と、
後続レンズ群とからなり、
前記後続レンズ群が、物体側から像側へと順に、負のパワーを有する第４レンズ群と正のパワーを有する第５レンズ群とであるか、又は、正のパワーを有する第４レンズ群であり、
前記第３レンズ群と前記第４レンズ群との間に開口絞りを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足する
ことを特徴とするズームレンズ系である、撮像装置
に関する。
【手続補正３】
【補正対象書類名】明細書
【補正対象項目名】００１４
【補正方法】変更
【補正の内容】
【００１４】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
正のパワーを有する第１レンズ群と、
負のパワーを有する第２レンズ群と、
正のパワーを有する第３レンズ群と、
後続レンズ群とからなり、
前記後続レンズ群が、物体側から像側へと順に、負のパワーを有する第４レンズ群と正のパワーを有する第５レンズ群とであるか、又は、正のパワーを有する第４レンズ群であり、
前記第３レンズ群と前記第４レンズ群との間に開口絞りを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）：
−７．０＜ｆ１／ｆ２＜−４．０  ・・・（１）
ｆＴ／ｆＷ＞９．０  ・・・（ａ）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足する
ことを特徴とするズームレンズ系である、カメラ
に関する。
【手続補正４】
【補正対象書類名】明細書
【補正対象項目名】００７６
【補正方法】変更
【補正の内容】
【００７６】
例えば実施の形態１〜５に係るズームレンズ系のように、物体側から像側へと順に、正のパワーを有する第１レンズ群と、負のパワーを有する第２レンズ群と、正のパワーを有する第３レンズ群と、後続レンズ群とからなり、該後続レンズ群が、物体側から像側へと順に、負のパワーを有する第４レンズ群と正のパワーを有する第５レンズ群とであるか、又は、正のパワーを有する第４レンズ群であり、第３レンズ群と第４レンズ群との間に開口絞りを備え、撮像時の広角端から望遠端へのズーミングの際に、第１レンズ群、第２レンズ群及び第３レンズ群を光軸に沿って移動させて変倍を行い、第３レンズ群が、２枚以上のレンズ素子と、１つ以上のレンズ素子間空気間隔とを有するズームレンズ系は、以下の条件（１）及び（ａ）を満足する。以下、このようなズームレンズ系のレンズ構成を、実施の形態の基本構成という。
−７．０＜ｆ１／ｆ２＜−４．０  ・・・（１）
ｆＴ／ｆＷ＞９．０  ・・・（ａ）
ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である。
【手続補正５】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
正のパワーを有する第３レンズ群と、
後続レンズ群とからなり、
前記後続レンズ群が、物体側から像側へと順に、負のパワーを有する第４レンズ群と正のパワーを有する第５レンズ群とであるか、又は、正のパワーを有する第４レンズ群であり、
前記第３レンズ群と前記第４レンズ群との間に開口絞りを備え、
撮像時の広角端から望遠端へのズーミングの際に、前記第１レンズ群、前記第２レンズ群及び前記第３レンズ群を光軸に沿って移動させて変倍を行い、
前記第３レンズ群が、２枚以上のレンズ素子と、１つ以上のレンズ素子間空気間隔とを有し、
以下の条件（１）及び（ａ）を満足することを特徴とする、ズームレンズ系：
−７．０＜ｆ１／ｆ２＜−４．０  ・・・（１）
ｆＴ／ｆＷ＞９．０  ・・・（ａ）
ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である。
【請求項２】
撮像時の広角端から望遠端へのズーミングの際に、開口絞りが、第３レンズ群と一体的に光軸に沿って移動する、請求項１に記載のズームレンズ系。
【請求項３】
以下の条件（２）を満足する、請求項１に記載のズームレンズ系：
０．５＜｜ｆ１／ｆ４｜＜４．２  ・・・（２）
ここで、
ｆ１：第１レンズ群の合成焦点距離、
ｆ４：第４レンズ群の合成焦点距離
である。
【請求項４】
以下の条件（３）を満足する、請求項１に記載のズームレンズ系：
０．８＜ＬＴ／ｆＴ＜１．４  ・・・（３）
ここで、
ＬＴ：望遠端におけるレンズ全長（第１レンズ群の最物体側面から像面までの距離）、
ｆＴ：望遠端における全系の焦点距離
である。
【請求項５】
後続レンズ群が、物体側から像側へと順に、負のパワーを有する第４レンズ群と正のパワーを有する第５レンズ群とである、請求項１に記載のズームレンズ系。
【請求項６】
後続レンズ群が、正のパワーを有する第４レンズ群である、請求項１に記載のズームレンズ系。
【請求項７】
第４レンズ群が、１枚のレンズ素子からなる、請求項１に記載のズームレンズ系。
【請求項８】
第５レンズ群が、１枚のレンズ素子からなる、請求項１に記載のズームレンズ系。
【請求項９】
無限遠合焦状態から近接物体合焦状態へのフォーカシングの際に、第４レンズ群又は第５レンズ群が光軸に沿って移動する、請求項１に記載のズームレンズ系。
【請求項１０】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項１１】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【国際調査報告】
2012101959.tif 000039
2012101959.tif 000040
2012101959.tif 000041
2012101959.tif 000042